(57)【要約】【課題】突起部によるツボ押しがより効果的となることが期待できる構造の器具を提供する。【解決手段】温熱具１００は、目周りを覆うマスク本体部１０と、マスク本体部１０に設けられた発熱体２０と、を備える温熱具１００であって、（１）発熱体２０の周縁に沿って並んで配置されている複数の突起部５２を備えているか、又は、（２）マスク本体部１０に対して貼り付け可能な複数の突起部５２を備え、マスク本体部１０は、複数の突起部５２の貼り付け予定位置が発熱体２０の周縁に沿った位置であることを示す標示部を有する。【選択図】図１
2019111327.tif 000002
【特許請求の範囲】
【請求項１】
目周りを覆うマスク本体部と、前記マスク本体部に設けられた発熱体と、を備える温熱具であって、
（１）前記発熱体の周縁に沿って並んで配置されている複数の突起部を備えているか、
又は、
（２）前記マスク本体部に対して貼り付け可能な複数の突起部を備え、前記マスク本体部は、前記複数の突起部の貼り付け予定位置が前記発熱体の周縁に沿った位置であることを示す標示部を有する温熱具。
【請求項２】
前記複数の突起部には、第１方向に並ぶ２つ以上の突起部と、前記第１方向に対して交差する方向に並ぶ２つ以上の突起部と、が含まれている請求項１に記載の温熱具。
【請求項３】
前記複数の突起部は、前記発熱体の角部を挟む２辺に沿って並んでいるか、
又は、
前記標示部の少なくとも一部分は、前記発熱体の角部を挟む２辺に沿って延在している請求項１又は２に記載の温熱具。
【請求項４】
前記複数の突起部は、前記発熱体の下縁を避けて配置されているか、
又は、
前記標示部は、前記発熱体の下縁を避けて配置されている請求項１から３のいずれか一項に記載の温熱具。
【請求項５】
前記複数の突起部には、前記発熱体の上縁に沿って上に凸の弧状に並ぶ３つ以上の突起部が含まれているか、
又は、
前記標示部の少なくとも一部分が、前記発熱体の上縁に沿って弧状に延在している請求項１から４のいずれか一項に記載の温熱具。
【請求項６】
前記複数の突起部が、Ｉ字状、Ｌ字状、Ｔ字状、十字状又は弧状に並んでいるか、
又は、
前記標示部の少なくとも一部分が、Ｉ字状、Ｌ字状、Ｔ字状、十字状又は弧状に形成されている請求項１から５のいずれか一項に記載の温熱具。
【請求項７】
前記複数の突起部が前記発熱体の周縁部と重ねて配置されているか、
又は、
前記標示部の少なくとも一部分が前記発熱体の周縁部と重ねて配置されている請求項１から５のいずれか一項に記載の温熱具。
【請求項８】
前記マスク本体部に対して貼り付け可能な複数の突起部のうち２つ以上の突起部を含んで構成され、前記マスク本体部に対して貼り付けられる突起部ユニットを備える請求項１から７のいずれか一項に記載の温熱具。
【請求項９】
前記突起部ユニットは、
基部と、
前記基部に設けられている前記２つ以上の突起部と、
前記基部を前記マスク本体部に対して貼り付けるための貼付部と、
を備える請求項８に記載の温熱具。
【請求項１０】
前記基部において、前記２つ以上の突起部のうち互いに隣り合う突起部どうしの間の部位に形成された、易破断部を備えている請求項９に記載の温熱具。
【請求項１１】
前記基部において、前記２つ以上の突起部のうち互いに隣り合う突起部どうしの間の部位に形成された、易伸展部を備えている請求項９又は１０に記載の温熱具。
【請求項１２】
前記突起部は、第１段部と、前記第１段部よりも当該突起部の突出方向先端側に配置されていて当該突起部の突出方向に当該突起部を視たときの寸法が前記第１段部よりも小さい第２段部と、を含む複数段構造である請求項１から１１のいずれか一項に記載の温熱具。
【請求項１３】
前記複数の突起部が前記マスク本体部に設けられており、
使用者が当該温熱具を着用した状態で、前記複数の突起部のうちの少なくとも１つが前記使用者の目周りのツボを押せる位置に配置される請求項１から１２のいずれか一項に記載の温熱具。
【請求項１４】
前記複数の突起部が前記マスク本体部に設けられており、
前記複数の突起部には、第１突起部と、突出方向における寸法が前記第１突起部よりも小さい第２突起部と、が含まれている請求項１から１３のいずれか一項に記載の温熱具。
【請求項１５】
前記複数の突起部が前記マスク本体部に設けられており、
前記複数の突起部には、第１突起部と、突出方向の荷重に対して前記第１突起部よりも潰れやすい第２突起部と、が含まれている請求項１から１４のいずれか一項に記載の温熱具。
【請求項１６】
前記第１突起部は、前記マスク本体部の横幅方向における中央寄りの位置に配置されており、
前記第２突起部は、前記マスク本体部の横幅方向における端部寄りの位置に配置されている請求項１４又は１５に記載の温熱具。
【発明の詳細な説明】
【技術分野】
【０００１】
本発明は、温熱具に関する。
【背景技術】
【０００２】
目周りの指圧が可能な装置として、特許文献１には、ゴーグルフレームを構成するフロント部と、フロント部において顔側となる面に設けられた突起部と、を備える顔面指圧具が記載されている。
【先行技術文献】
【特許文献】
【０００３】
【特許文献１】特開２０１２−９０６６８号公報
【発明の概要】
【発明が解決しようとする課題】
【０００４】
しかしながら、本発明者の検討によれば、特許文献１の技術では、突起部によるツボ押し効果について、なお改善の余地がある。
【０００５】
本発明は、上記の課題に鑑みてなされたものであり、突起部によるツボ押しがより効果的となることが期待できる構造の器具に関する。
【課題を解決するための手段】
【０００６】
本発明は、目周りを覆うマスク本体部と、前記マスク本体部に設けられた発熱体と、を備える温熱具であって、
（１）前記発熱体の周縁に沿って並んで配置されている複数の突起部を備えているか、
又は、
（２）前記マスク本体部に対して貼り付け可能な複数の突起部を備え、前記マスク本体部は、前記複数の突起部の貼り付け予定位置が前記発熱体の周縁に沿った位置であることを示す標示部を有する温熱具に関する。
【発明の効果】
【０００７】
本発明によれば、発熱体による温熱効果と複数の突起部によるツボ押し効果との相乗効果が期待できるため、突起部によるツボ押しがより効果的となることが期待できる。
【図面の簡単な説明】
【０００８】
【図１】第１実施形態に係る温熱具の平面図であり、着用時に顔側となる面を示す。
【図２】第１実施形態に係る温熱具の斜視図である。
【図３】図１のＡ−Ａ線に沿った断面図である。
【図４】図４（ａ）及び図４（ｂ）は第１実施形態に係る温熱具の突起部ユニットを示す図であり、このうち図４（ａ）は斜視図、図４（ｂ）は断面図である。
【図５】第１実施形態に係る温熱具の分解斜視図である。
【図６】図６（ａ）、図６（ｂ）、図６（ｃ）及び図６（ｄ）の各々は、第１実施形態に係る温熱具の突起部ユニットの変形例を示す平面図である。
【図７】第２実施形態に係る温熱具のマスク本体及び一対の耳掛け部を示す斜視図である。
【図８】第３実施形態に係る温熱具の平面図であり、着用時に顔側となる面を示す。
【図９】図８のＡ−Ａ線に沿った断面図である。
【図１０】第４実施形態に係る温熱具の平面図であり、着用時に顔側となる面を示す。
【図１１】第５実施形態に係る温熱具の突起部ユニットを構成する基部シートの平面図である。
【図１２】図１２（ａ）及び図１２（ｂ）の各々は第５実施形態に係る温熱具の突起部ユニットを構成する貼付ユニット部の平面図である。
【図１３】図１３（ａ）は第５実施形態に係る温熱具の突起部ユニットの一構成例を示す平面図であり、図１３（ｂ）は第５実施形態に係る温熱具の突起部ユニットの他の構成例を示す平面図である。
【図１４】図１３（ａ）のＡ−Ａ線に沿った断面図である。
【図１５】図１５（ａ）は第６実施形態に係る温熱具の突起部ユニットを示す平面図であり、図１５（ｂ）及び図１５（ｃ）の各々は第６実施形態に係る温熱具の突起部ユニットの変形例を示す平面図である。
【図１６】図１６（ａ）、図１６（ｂ）及び図１６（ｃ）の各々は突起部の形状の変形例１を示す図であり、このうち図１６（ａ）は斜視図、図１６（ｂ）は平面図、図１６（ｃ）は側面図である。
【図１７】図１７（ａ）、図１７（ｂ）及び図１７（ｃ）の各々は突起部の形状の変形例２を示す図であり、このうち図１７（ａ）は斜視図、図１７（ｂ）は平面図、図１７（ｃ）は側面図である。
【図１８】図１８（ａ）、図１８（ｂ）及び図１８（ｃ）の各々は突起部の形状の変形例３を示す図であり、このうち図１８（ａ）は斜視図、図１８（ｂ）は平面図、図１８（ｃ）は側面図である。
【図１９】図１９（ａ）、図１９（ｂ）及び図１９（ｃ）の各々は突起部の形状の変形例４を示す図であり、このうち図１９（ａ）は斜視図、図１９（ｂ）は平面図、図１９（ｃ）は側面図である。
【図２０】図２０（ａ）は第７実施形態及び第８実施形態を説明するためのアイマスクの平面図であり、図２０（ｂ）及び図２０（ｃ）は第７実施形態を説明するための突起部の側面図である。
【図２１】図２１（ａ）は第９実施形態に係る温熱具の平面図であり、図２１（ｂ）は第９実施形態に係る温熱具の突起部の斜視図である。
【図２２】図２２（ａ）は第１０実施形態に係る温熱具の平面図であり、図２２（ｂ）は第１０実施形態に係る温熱具の突起部の斜視図である。
【図２３】図２３（ａ）は第１１実施形態に係る温熱具の平面図であり、図２３（ｂ）は第１１実施形態に係る温熱具の突起部の斜視図である。
【図２４】図２４（ａ）は実施例に係る温熱具と比較例に係る温熱具を用いた被験者の交感神経活動値の変化を示す図であり、図２４（ｂ）は実施例に係る温熱具と比較例に係る温熱具を用いた被験者の脳波（β波）の出現率を示す図である。
【図２５】図２５（ａ）は実施例に係る温熱具の使用途中でマッサージを行った場合の被験者の皮膚血流束の量を示す図であり、図２５（ｂ）は実施例に係る温熱具の使用開始時にマッサージを行った場合の被験者の皮膚血流束の量を示す図である。
【発明を実施するための形態】
【０００９】
以下、本発明の好ましい実施形態について、図面を用いて説明する。なお、すべての図面において、同様の構成要素には同一の符号を付し、重複する説明は適宜に省略する。
本実施形態に係る温熱具の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１０】
〔第１実施形態〕
先ず、図１から図５（ｂ）を用いて第１実施形態を説明する。
図５（ｂ）は図３のＡ−Ａ線及びその延長線に相当する位置での断面を示す。
【００１１】
図１に示すように、本実施形態に係る温熱具１００は、目周りを覆うマスク本体部１０と、マスク本体部１０に設けられた発熱体２０と、を備える温熱具１００であって、発熱体２０の周縁に沿って並んで配置されている複数の突起部５２を備えている。
本実施形態に係る温熱具１００によれば、使用者が温熱具１００を着用した状態において、例えば、マスク本体部１０を手で顔側に押し付けることで、突起部５２によって目周りのツボ押し（マッサージ）を行うことができる。この際に、発熱体２０による温熱効果と複数の突起部５２によるツボ押し効果との相乗効果が期待できる。また、マスク本体部１０を手で顔側に押し付ける際に、使用者が突起部５２の位置を自らの好みの位置にずらして押し付けることも容易である。
【００１２】
本実施形態に係る温熱具１００は、マスク本体部１０及び突起部５２の他に、マスク本体部１０の横幅方向における両端部に対して各々の一端部が固定されていて耳に掛けられる一対の耳掛け部３０を備える。更に、本実施形態に係る温熱具１００は、マスク本体部１０の内部に収容及び保持されている発熱体２０（図３）を備えている。
【００１３】
マスク本体部１０は、使用者が着用した状態において、使用者の両目を覆うものであり、例えば、図１等に示すように、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている。また、左目覆い部１０ａと右目覆い部１０ｂとは、互いにほぼ同一の形状及び寸法に形成されている。左目覆い部１０ａと右目覆い部１０ｂとは、図３において、左右に並んで配置されている。マスク本体部１０は、横長の形状に形成されている。マスク本体部１０は、可撓性の（柔軟な）シート材により構成されている。
【００１４】
本実施形態の場合、横幅方向とは、図１に示すようにマスク本体部１０を平坦にした状態において、左目覆い部１０ａと右目覆い部１０ｂとの並び方向に一致する方向である。横幅方向は、一対の耳掛け部３０を展開して温熱具１００の全体を平坦にした状態において、一方の耳掛け部３０から他方の耳掛け部３０に向かう方向とも一致している。すなわち、横幅方向は、図１における左右方向である。
また、本明細書において、上側及び下側とは、直立した使用者が温熱具１００を着用した状態で上側及び下側となる方向を意味する。上側及び下側は、図１における上側及び下側である。
【００１５】
図５に示すように、温熱具１００は、例えば、後述する突起部ユニット５０をマスク本体部１０に貼り付けることにより構成されている。
図５に示すように、マスク本体部１０の横幅方向における中央部の上縁部には、マスク本体部１０の上縁から下方に延びる上側スリット１４が形成されている。マスク本体部１０の横幅方向における中央部の下縁部には、マスク本体部１０の下縁から上方に延びる下側スリット１５が形成されている。
上側スリット１４及び下側スリット１５は、左目覆い部１０ａと右目覆い部１０ｂとの境界位置に配置されている。下側スリット１５は、温熱具１００の着用時に使用者の鼻と対応する位置に配置される。
本実施形態の場合、上側スリット１４の長さ寸法（上下寸法）よりも下側スリット１５の長さ寸法（上下寸法）の方が大きい。
【００１６】
図３に示すように、マスク本体部１０は、温熱具１００の着用時に顔側に位置する第１シート１１と、着用時に顔とは反対側に位置する第２シート１２と、を備えて構成されている。第１シート１１及び第２シート１２の各々は、単層のシートにより構成されていてもよいし、複数のシートの積層体であってもよい。
マスク本体部１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００１７】
第１シート１１と第２シート１２とは、例えば、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
上記の上側スリット１４は、第１シート１１及び第２シート１２の双方に形成されており、第１シート１１の上側スリット１４と第２シート１２の上側スリット１４とは、平面視において互いに重なっている。同様に、下側スリット１５は、第１シート１１及び第２シート１２の双方に形成されており、第１シート１１の下側スリット１５と第２シート１２の下側スリット１５とは、平面視において互いに重なっている。
接合部１３は、例えば、マスク本体部１０の（第１シート１１及び第２シート１２の）周縁部の全周と、マスク本体部１０の横幅方向における中央部の上端から下端に亘る範囲と、に配置されている。すなわち、接合部１３は、左目覆い部１０ａの周縁部と、右目覆い部１０ｂの周縁部と、に配置されている。
【００１８】
発熱体２０は、例えば、左目覆い部１０ａ及び右目覆い部１０ｂの各々に配置されている。
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８（図３）を構成している。
同様に、右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
【００１９】
発熱体２０は、例えば図３に示すように、第１被覆シート２１と、第２被覆シート２２と、第１被覆シート２１と第２被覆シート２２との間に保持されているシート状の発熱部２３と、を備えて構成されている。発熱体２０の平面形状は、特に限定されないが、例えば、略正方形状に形成されている（図１参照）。
【００２０】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１と第２被覆シート２２とのうち、第１被覆シート２１は、第１シート１１側、すなわち温熱具１００の着用時に顔側となる方に配置されており、第２被覆シート２２は、第２シート１２側、すなわち着用時に顔側とは反対側となる方に配置されている。
【００２１】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２２】
発熱体２０は、図３に示す接合部２４において、マスク本体部１０に対して接合されている。接合部２４は、例えば、発熱体２０の横幅方向における一部の領域に配置されている。より詳細には、接合部２４は、例えば、各発熱体２０において、マスク本体部１０の幅方向における中心側の端縁に配置されている。接合部２４は、各発熱体２０と第２シート１２の内面とを相互に接合している。
ただし、接合部２４は発熱体２０の全面に亘って配置されていても良い。また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。同様に、第２シート１２の内面は、全面に亘って、発熱体２０又は第１シート１１に対して接合部２４又は接合部１３において接合していてもよい。つまり、発熱体２０の片面又は両面が、全面に亘って、第１シート１１又は第２シート１２に対して接合されていても良い。
【００２３】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００２４】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００２５】
一対の耳掛け部３０の各々は、可撓性の（柔軟な）シート材である耳掛け部構成シート３１により構成されている。耳掛け部構成シート３１は、単層のシートにより構成されていてもよいし、複数のシートの積層体であってもよい。耳掛け部構成シート３１としては、不織布等の繊維材料からなる繊維シートを用いることができる。
【００２６】
一対の耳掛け部３０の各々の一端部が、固定部３３においてマスク本体部１０の横幅方向における両端部に対してそれぞれ固定されている。すなわち、一方の耳掛け部３０の一端部が、固定部３３において左目覆い部１０ａの左端部に対して固定されている。同様に、他方の耳掛け部３０の一端部が、固定部３３において右目覆い部１０ｂの右端部に対して固定されている。より詳細には、例えば、図４に示すように、耳掛け部３０は、第１シート１１において顔側となる面に対して固定部３３にて接合により固定されている。マスク本体部１０に対する耳掛け部３０の固定は、ヒートシールによってなされていてもよいし、粘着又は接着によりなされていてもよい。固定部３３の平面形状は特に限定されない。固定部３３は、例えば、上下に長尺に形成されている（上下に延在している）。
【００２７】
なお、以下の説明では、耳掛け部３０において、マスク本体部１０側（左目覆い部１０ａ側又は右目覆い部１０ｂ側）を基端（基端側）、マスク本体部１０から遠い側を先端（先端側）と称する場合がある。つまり、耳掛け部３０における基端側の部位がマスク本体部１０に対して固定部３３にて固定されている。
【００２８】
耳掛け部３０の平面形状は特に限定されないが、例えば、左目覆い部１０ａ及び右目覆い部１０ｂと同様の形状に形成されている。
例えば、温熱具１００が折り畳まれた状態（展開される前の状態）（不図示）において、左目覆い部１０ａ及び右目覆い部１０ｂのそれぞれに対して、一方ずつの耳掛け部３０が重なる。この状態では、左目覆い部１０ａの外形線と、当該左目覆い部１０ａに重なっている耳掛け部３０の外形線と、が平面視において相互に一致し、且つ、右目覆い部１０ｂの外形線と、当該右目覆い部１０ｂに重なっている耳掛け部３０の外形線と、が平面視において相互に一致するようになっている。
【００２９】
一対の耳掛け部３０の各々は、当該耳掛け部３０を耳に掛けるための耳掛け用開口３２を有している。本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。耳掛け用開口３２の形状は特に限定されないが、例えば、耳掛け用開口３２は横幅方向に長尺に形成されている。
【００３０】
一対の耳掛け部３０の各々は、耳掛け用開口３２と連続する第１耳掛け用スリット３４及び第２耳掛け用スリット３５を有している。このうち第１耳掛け用スリット３４は、耳掛け用開口３２の下縁から下方に延びている。第２耳掛け用スリット３５は、耳掛け用開口３２の先端縁から先端側に延びている。例えば、第２耳掛け用スリット３５よりも第１耳掛け用スリット３４の方が長い。
【００３１】
なお、温熱具１００は、使用前の状態では、軟質包装材により構成された包装袋（不図示）に封入されている。使用時に包装袋から温熱具１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者が温熱具１００を着用することによって、この水蒸気が使用者の顔面に供給されるようになっている。これにより、蒸しタオルで使用者の顔面を温めるような具合になる。
このように、本実施形態に係る温熱具１００は、蒸気温熱具である。
【００３２】
また、本実施形態に係る温熱具１００は、複数の突起部５２を有しており、発熱体２０により顔面（目周り）を加温しながら、これら突起部５２によるツボ押しが可能となっている。よって、発熱体２０による温熱作用（本実施形態の場合、蒸気温熱作用）とツボ押しとの相乗効果が得られる。
【００３３】
なお、温熱具１００における突起部ユニット５０を除く部分（マスク本体部１０及び一対の耳掛け部３０）の構造は、上記の例に限らず、その他の一般的な蒸気温熱具の構造を適用することができる。
【００３４】
上記のように、温熱具１００は、２つ以上の突起部５２を備える突起部ユニット５０をマスク本体部１０に貼り付けることにより構成されている。換言すれば、温熱具１００は、マスク本体部１０に対して貼り付け可能な複数の突起部５２のうち２つ以上の突起部５２を含んで構成され、マスク本体部１０に対して貼り付けられる突起部ユニット５０を備える。
【００３５】
以下、突起部ユニット５０について詳細に説明する。
【００３６】
図４（ａ）及び図４（ｂ）に示すように、突起部ユニット５０は、基部５１と、基部５１に設けられている複数の突起部５２と、基部５１をマスク本体部１０に対して貼り付けるための貼付部５３（図４（ｂ））と、を備える。基部５１は、例えば、平坦に形成されている。
突起部ユニット５０が突起部５２だけでなく基部５１を備えるため、突起部５２がマスク本体部１０に沈み込むことを抑制できるとともに、マスク本体部１０に対する突起部５２の姿勢を安定させることができる。よって、突起部５２によってより十分な強さで安定的にツボ押しを行うことができる。
【００３７】
本実施形態の場合、突起部ユニット５０は、それぞれ左右の目と対応する位置に配置される左右一対の開口５４を有する。すなわち、基部５１には、左右一対の開口５４が形成されている。基部５１は、例えば、横倒しの８の字のような形状に形成されている。図１及び図２に示すように、基部５１は、左目覆い部１０ａの周縁部及び右目覆い部１０ｂの周縁部に沿う形状に形成されており、左目覆い部１０ａの周縁部及び右目覆い部１０ｂの周縁部に沿って設けられる。
【００３８】
使用者が温熱具１００を着用した状態で、使用者の顔の前方から温熱具１００を視たときに、開口５４の内側に眼球が収まるように、開口５４の寸法、形状及び配置が設定されている。
このため、発熱体２０が発生する熱及び蒸気を、発熱体２０の第１被覆シート２１、マスク本体部１０の第１シート１１及び突起部ユニット５０の開口５４を介して、使用者の目周りに供給することができる。
図１に示すように、各開口５４のほぼ全域と対応する領域に、各発熱体２０が配置されている。各発熱体２０は、各開口５４よりも狭い領域に配置されていてもよいし、各開口５４と同じ領域に配置されていてもよいし、各開口５４よりも広い領域に配置されていてもよい。
【００３９】
貼付部５３は、基部５１の裏面、すなわち基部５１からの突起部５２の突出方向とは反対側の面に形成されている。貼付部５３は、基部５１の裏面の全域に形成されていても良いし、貼付部５３の裏面の一部領域（例えば、点在する複数箇所）に形成されていても良い。
貼付部５３は、例えば、粘着剤により構成された粘着層である。ただし、貼付部５３は、不織布に対して貼り付け可能な面ファスナーであってもよい。
【００４０】
突起部ユニット５０の横幅方向における中央部の上縁部には、突起部ユニット５０の上縁から下方に延びる上側スリット５５が形成されている。突起部ユニット５０の横幅方向における中央部の下縁部には、マスク本体部１０の下縁から上方に延びる切欠形状部５６が形成されている。
上側スリット５５及び切欠形状部５６は、左目覆い部１０ａと右目覆い部１０ｂとの境界位置に配置されている。
本実施形態の場合、上側スリット５５の上下寸法よりも切欠形状部５６の上下寸法の方が大きい。
図１に示すように、マスク本体部１０の上側スリット１４と突起部ユニット５０の上側スリット５５とが互いに重なっている。更に、マスク本体部１０の下側スリット１５が突起部ユニット５０の切欠形状部５６の横幅方向における中央に位置している。
【００４１】
ここで、切欠形状部５６は、下側スリット１５よりも広い。そして、図１に示すように、使用者の顔側となる方から温熱具１００を視たときに、切欠形状部５６内に、左目覆い部１０ａの下縁部の右端部と右目覆い部１０ｂの下縁部の左端部とが位置するようになっている。
このため、温熱具１００の着用時には、マスク本体部１０を構成する第１シート１１及び第２シート１２が切欠形状部５６を介して使用者の鼻に接触し、第１シート１１及び第２シート１２の弾性力が、基部５１を鼻から遠ざける方向に作用する。よって、鼻に対する基部５１の当りをソフトにしたり、或いは、鼻に対する基部５１の接触を抑制したりすることができる。
【００４２】
基部５１において、左目覆い部１０ａの周縁部に沿って設けられる部位には、複数（一例として７つ）の突起部５２がＬ字状に並んで配置されている。同様に、基部５１において、右目覆い部１０ｂの周縁部に沿って設けられる部位には、複数の突起部５２がＬ字状に並んで配置されている。このように、本実施形態の場合、複数の突起部５２が、Ｌ字状に並んで配置されている。
【００４３】
より詳細には、突起部ユニット５０の複数の突起部５２には、左目覆い部１０ａに設けられた発熱体２０の上縁２０ａに沿って左右に並んで配置される複数（一例として４つ）の突起部５２と、当該発熱体２０の側縁２０ｃに沿って上下に並んで配置される複数（一例として３つ）の突起部５２と、が含まれている。ここで、側縁２０ｃは、発熱体２０の左右一対の側縁のうち、マスク本体部１０の横幅方向における端部側に位置する側縁である。
更に、突起部ユニット５０の複数の突起部５２には、右目覆い部１０ｂに設けられた発熱体２０の上縁に沿って左右に並んで配置される複数（一例として４つ）の突起部５２と、当該発熱体２０の側縁（マスク本体部１０の横幅方向における端部側に位置する側縁）に沿って上下に並んで配置される複数（一例として３つ）の突起部５２と、が含まれている。
【００４４】
突起部ユニット５０がマスク本体部１０に貼り付けられた状態では、発熱体２０の上縁に沿って左右に並ぶ複数の突起部５２によって、目周りのツボのうち目の上方のツボを好適に押圧することができる。また、発熱体２０の側縁（マスク本体部１０の横幅方向における端部側に位置する側縁）に沿って上下に並ぶ複数の突起部５２によって、目周りのツボのうち目の側方のツボ（こめかみのツボなど）を好適に押圧することができる。
【００４５】
このように、複数の突起部５２には、第１方向（例えば左右）に並ぶ２つ以上の突起部５２と、第１方向に対して交差（例えば直交）する方向（例えば上下）に並ぶ２つ以上の突起部５２と、が含まれている。
より詳細には、複数の突起部５２は、発熱体２０の角部を挟む２辺（例えば上縁と側縁）に沿って並んでいる。
【００４６】
本実施形態の場合、互いに隣り合う突起部５２どうしの間に基部５１の一部分が配置されている。このため、個々の突起部５２によって十分に皮膚を押圧してツボ押しすることができる。
【００４７】
なお、本実施形態の場合、発熱体２０の下縁２０ｂに沿う位置には突起部５２が配置されておらず、また、発熱体２０の左右一対の側縁のうち、マスク本体部１０の横幅方向における中央側に位置する側縁２０ｄに沿う位置にも、突起部５２が配置されていない。すなわち、複数の突起部５２は、発熱体２０の下縁２０ｂを避けて配置されている。
【００４８】
図３に示すように、突起部５２の突出方向における突起部ユニット５０の寸法（図３に示す高さ寸法Ｔ１）が、発熱体２０の配置領域におけるマスク本体部１０の厚み寸法（図３に示す厚み寸法Ｄ）よりも大きい。このような構成により、突起部５２によるツボ押しがより容易になる。
より好ましくは、突起部５２の突出方向における突起部５２の寸法（図３に示す高さ寸法Ｔ２）が、発熱体２０の配置領域におけるマスク本体部１０の厚み寸法（図３に示す厚み寸法Ｄ）よりも大きい。このような構成により、突起部５２によるツボ押しがより一層容易になる。
【００４９】
本実施形態の場合、突起部５２は、第１段部５２ａと、第１段部５２ａよりも当該突起部５２の突出方向先端側に配置されていて当該突起部５２の突出方向に当該突起部５２を視たときの寸法が第１段部５２ａよりも小さい第２段部５２ｂと、を含む複数段構造である。
より詳細には、本実施形態の場合、突起部５２は、第１段部５２ａと第２段部５２ｂとの２段構造である。ただし、本発明は、この例に限らず、突起部５２は３段構造以上の段構造に形成されていてもよいし、１段構造であってもよい。
突起部５２が複数段構造となっていることにより、例えば、一部の段（例えば第１段部５２ａ）が押し潰された状態で、突起部５２（主として第２段部５２ｂ）により心地よいツボ押しを行うことができる。また、突起部５２の突出方向に当該突起部５２を視たときに、第２段部５２ｂの寸法が第１段部５２ａよりも小さいため、第２段部５２ｂにより局部的に皮膚を押圧することができるため、より心地よいツボ押しが可能である。
【００５０】
より詳細には、第１段部５２ａは、例えば、半球状（ドーム状）の形状である。また、第２段部５２ｂは、例えば、円錐状の形状である。ただし、第２段部５２ｂの頂部は丸みを帯びている。また、第１段部５２ａと第２段部５２ｂとは互いに同心に配置されている。
本実施形態の場合、突起部５２（第１段部５２ａ及び第２段部５２ｂ）の内部は、空洞になっている。
本実施形態の場合、第２段部５２ｂの直径は、第１段部５２ａの直径の半分以下であり、より詳細には、第１段部５２ａの直径の半分未満であり、更に詳細には、第１段部５２ａの直径の１／４以下である。
ただし、第１段部５２ａ及び第２段部５２ｂの形状は、この例に限らない。
【００５１】
突起部５２の高さ寸法Ｔ２、すなわち突起部５２の突出方向における突起部５２の寸法は、特に限定されないが、例えば、２ｍｍ以上１０ｍｍ以下であることが好ましく、３ｍｍ以上８ｍｍ以下であることがより好ましい。突起部５２の高さ寸法Ｔ２が２ｍｍ以上１０ｍｍ以下であることにより、突起部５２によってツボ押しを十分に且つ適度に行うことができる。
突起部５２の直径は、特に限定されないが、例えば、２ｍｍ以上２０ｍｍ以下であることが好ましく、３ｍｍ以上１５ｍｍ以下であることがより好ましい。突起部５２の直径が２ｍｍ以上２０ｍｍ以下であることにより、突起部５２によってツボ押しを十分に且つ適度に行うことができる。
第１段部５２ａの高さ寸法は、特に限定されないが、例えば、２ｍｍ以上１０ｍｍ以下であることが好ましく、３ｍｍ以上８ｍｍ以下であることがより好ましい。
第２段部５２ｂの高さ寸法は、特に限定されないが、例えば、１ｍｍ以上５ｍｍ以下であることが好ましく、３ｍｍ以下であることがより好ましい。
第２段部５２ｂの直径は、特に限定されないが、例えば、１ｍｍ以上５ｍｍ以下であることが好ましく、３ｍｍ以下であることがより好ましい。
隣り合う突起部５２間の距離は、突起部５２の直径未満であることが好ましく、突起部５２の直径の１／２以下であることが更に好ましい。隣り合う突起部５２の中心間距離は、突起部５２の直径の２倍未満であることが好ましく、突起部の直径の１．５倍以下であることが更に好ましい。
【００５２】
ここで、突起部ユニット５０は、アタッチメント式突起部ユニットである。すなわち、アタッチメント式突起部ユニットは、目周りを覆う温熱具１００のマスク本体部１０に貼り付けて用いられるアタッチメント式突起部ユニットであって、基部５１と、基部５１に設けられている複数の突起部５２と、基部５１をマスク本体部１０に対して貼り付けるための貼付部５３と、を備える。
【００５３】
本実施形態の場合、突起部ユニット５０は、１枚のシート５０ａにより構成されている。すなわち、シート５０ａは、基部５１を構成する平坦部と、基部５１を基準として一方の側に凸に湾曲している複数の凸部とを備えており、各凸部が突起部５２を構成している。
なお、シート５０ａにおいて、突起部５２を構成する部分の厚みと、基部５１を構成する部分の厚みとは、互いに同等の厚みに設定されている。ただし、後述するように、シート５０ａはプレス成形により作製することができる。よって、シート５０ａの材料となるシートの伸びが、基部５１における伸びよりも、突起部５２における伸びの方が大きいことが想定される。このため、シート５０ａにおいて、突起部５２を構成する部分の厚みは、基部５１を構成する部分の厚みよりも若干薄いことが考えられる。
【００５４】
本実施形態の場合、シート５０ａは、例えば、１層の不織布シートにより構成されている。したがって、本実施形態の場合は、突起部５２は不織布により構成されている。
この不織布シートの材料としては、合成繊維、天然繊維又はこれらの複合繊維が挙げられる。不織布シートの製法としては、スパンボンド法、ニードルパンチ法、スパンレース法、メルトブロー法、フラッシュ紡糸法、エアレイド法、エアースルー法等が挙げられる。
【００５５】
不織布シートは、例えば、第１樹脂材料により構成されている繊維と、第２樹脂材料により構成されていて繊維どうしを結着している結着部と、を含んで構成されている。
この不織布シートを構成する第１樹脂材料は、特に限定されないが、例えば、ポリエチレン、ポリプロピレン、ナイロン、レーヨン、ポリスチレン、アクリル、ビニロン、セルロース、アラミド、ポリビニルアルコール、ポリエチレンナフタレート又はポリエチレンテレフタレートであることが挙げられ、なかでもポリエチレンテレフタレート（ＰＥＴ）であることが好ましい。
不織布シートを構成する第２樹脂材料は、特に限定されないが、不織布シートを構成する第１樹脂材料よりも低融点の材料であることが好ましい。不織布シートを構成する第２樹脂材料は、例えば、ポリエチレン、ポリプロピレン、エチレン酢酸ビニル樹脂、又は低融点ＰＥＴ（共重合ポリエステル）であることが挙げられ、なかでもポリエチレン、又は、低融点のＰＥＴであることが好ましい。
なお、不織布シートを構成する繊維は、第１樹脂材料により構成された芯と、第２樹脂材料により構成された鞘と、を含む芯鞘構造となっていてもよい。
【００５６】
不織布シートにおける第１樹脂材料の含有量は、不織布シートにおける第２樹脂材料の含有量よりも多い。
好ましくは、不織布シートにおける第１樹脂材料の含有量は、６０質量％以上９５質量％以下である。また、不織布シートにおける第２樹脂材料の含有量は、５質量％以上４０質量％以下である。
不織布シートにおける第１樹脂材料及び第２樹脂材料の含有量をこのように設定することにより、不織布シートの通気性を十分に確保しつつも、不織布シートの剛性を十分に確保することができる。
【００５７】
不織布シートの坪量は、１５ｇ／ｍ２以上５００ｇ／ｍ２以下、特に３０ｇ／ｍ２以上３５０ｇ／ｍ２以下であることが好ましい。不織布シートの坪量が１５ｇ／ｍ２以上であることにより、シート５０ａの十分な強度を確保できる。不織布シートの坪量が５００ｇ／ｍ２以下であることにより、シート５０ａのより良好な通気性が得られ、突起部ユニット５０の基部５１や突起部５２を介して容易に蒸気を顔側に放出させることが可能となる。
【００５８】
シート５０ａにおいて基部５１を構成する平坦部の厚みは、０．０３ｍｍ以上２．６ｍｍ以下、特に０．０８ｍｍ以上１．２５ｍｍ以下であることが好ましい。平坦部の厚みが０．０３ｍｍ以上であることにより、シート５０ａの形態保持性が良好となる。平坦部の厚みが２．６ｍｍ以下であることにより、シート５０ａのより良好な通気性が得られ、突起部ユニット５０の基部５１や突起部５２を介して容易に蒸気を顔側に放出させることが可能となる。
【００５９】
なお、本発明において、突起部５２の材料は、不織布に限らず、樹脂、ゴム又は紙などであってもよい。
突起部５２が樹脂により構成されている場合、突起部５２に微細な穴を形成することで、突起部５２に通気性を付与することができる。
また、異種材料の樹脂を用いた二色成形などにより突起部５２が形成されていてもよい。この場合、例えば、突起部５２において皮膚に接触する側の部分に相対的に柔らかい材料を用いることで、触感をソフトにしたり、逆に、皮膚に接触する側の部分に相対的に硬い材料を用いることで、より十分な刺激を付与できるようにしたりしてもよい。
突起部５２を紙により構成する場合、例えば、パルプモールドのような抄造によって、通気性を有する突起部５２を作製することができる。
突起部５２の材料が、不織布、樹脂又は紙の場合は、突起部５２の軽量性に優れる。
突起部５２の材料が、不織布又は紙の場合は、突起部５２に適度な（過度でない）硬さを付与することができる。
突起部５２の材料が、不織布の場合は、成形条件や厚みを適宜設定することで、突起部５２に適度な柔らかさを付与することができる。
突起部５２の材料が、不織布の場合は、皮膚に対する触感が良好となる。
【００６０】
次に、突起部ユニット５０を製造する方法の一例について説明する。
突起部ユニット５０の製造方法は、例えば、全体が平坦な不織布シートをプレスすることにより当該不織布シートを基部５１と突起部５２とを有する形態に加工する工程を備えている。
【００６１】
ここで、プレスが行われる前の不織布シートは、例えば、第１樹脂材料により構成されている第１繊維と、第２樹脂材料により構成されていて第２繊維と、を含んで構成されている（第１繊維と第２繊維との混綿の場合）。ただし、不織布シートを構成する繊維は、第１樹脂材料により構成された芯と、第２樹脂材料により構成された鞘と、を含む芯鞘構造となっていてもよい。
【００６２】
不織布シートに対して熱プレスを行うことによって、不織布シートを基部５１と突起部５２とを有する形態に加工する。
ここで、熱プレスの温度は、第１樹脂材料の融点と第２樹脂材料の融点との中間の温度に設定する。すなわち、熱プレスの温度は、第１樹脂材料の融点未満の温度であって、且つ、第２樹脂材料の融点以上の温度とする。
これにより、第２樹脂材料が溶融する一方で、第１樹脂材料は溶融しないようにできるため、溶融した第２樹脂材料を介して、第１樹脂材料により構成された繊維（当該繊維は、芯鞘構造の芯の部分であってもよい）どうしが結着される。すなわち、溶融した第２樹脂材料が、第１樹脂材料により構成された繊維どうしを結着する結着部を構成する。
その結果、シート５０ａの通気性を確保しつつも、シート５０ａの剛性を十分に確保することができる。すなわち、基部５１の通気性及び剛性を十分に確保することができるとともに、突起部５２についても、当該突起部５２の基端から先端に亘り、通気性を確保しつつも、全体を十分な剛性にすることができる。
ここで、熱プレスの温度は、第２樹脂材料が十分に溶融できる範囲内で、なるべく低温（例えば、第２樹脂材料の融点＋３０℃以下の温度、好ましくは第２樹脂材料の融点＋２０℃以下の温度）に設定することが好ましい。このようにすることによって、熱プレス後のシート５０ａが不織布の風合いを有するようにできて、突起部ユニット５０の肌触りが良好になる。
【００６３】
次に、必要により不織布シートを裁断することにより、シート５０ａを所望の平面形状に加工する。
次に、シート５０ａの基部５１の裏面に、粘着剤などにより貼付部５３を形成する。
こうして、突起部ユニット５０を製造することができる。
【００６４】
上記においては、シート５０ａが１層の不織布シートにより構成されている例を説明したが、本発明は、この例に限らず、シート５０ａは複数層構造となっていてもよい。
例えば、シート５０ａは、当該シート５０ａにおける一方の最外層を構成する第１不織布シートと、当該シート５０ａにおける他方の最外層を構成する第２不織布シートと、第１不織布シートと第２不織布シートとの間に位置する中間層を構成する通気シートと、を含んで構成されていてもよい。
【００６５】
第１不織布シート及び第２不織布シートの各々は、上記の不織布シートと同様のものである。
【００６６】
通気シートは、第２樹脂材料よりも高融点の第３樹脂材料を含んで構成されている。
通気シートの通気性は、特に限定されないが、例えば、通気シートの透湿度が１００ｇ／（ｍ２・２４ｈ）以上１３０００ｇ／（ｍ２・２４ｈ）以下、特に２００ｇ／（ｍ２・２４ｈ）以上８０００ｇ／（ｍ２・２４ｈ）以下であることが好ましい。
通気シートの透湿度の測定は、例えば、ＪＩＳ（Ｚ０２０８）  ＣａＣｌ２法で行うことができ、測定条件は、４０℃、９０％ＲＨとすることができる。
通気シートは、その全面に亘り通気性を有していてもよく、部分的に通気性を有していてもよい。
通気シートは、坪量が１０ｇ／ｍ２以上２００ｇ／ｍ２以下、特に２０ｇ／ｍ２以上１００ｇ／ｍ２以下であることが好ましい。
【００６７】
通気シートとしては、ポリエチレン、ポリプロピレン等のポリオレフィンやポリエステル、ポリアミド、ポリウレタン、ポリスチレン、ポリエチレン−酢酸ビニル共重合体等の樹脂により構成されたシートに機械的に通気孔を形成したもの、これら樹脂と無機フィラーとの混合シートを延伸により界面剥離させ微細な通気孔を設けたもの、また、その結晶構造の界面剥離を利用し、微細な通気孔を形成したもの、発泡成形による連続気泡を利用し微細な通気孔を連通させたものなどが挙げられる。また、通気シートとしては、ポリオレフィン等の合成パルプ、木材パルプ、レーヨン、アセテート等の半合成繊維、ビニロン繊維、ポリエステル繊維等から形成された不織布、織布、合成紙、紙等も挙げられる。通気シートは、複数枚を重ねて用いることもできる。
通気シートとしては、ポリプロピレンと炭酸カルシウムとの混合シートを延伸により界面剥離させることで、該混合シートに微細な通気孔を形成したものを好適に用いることができる。
より詳細には、通気シートとしては、例えば、ポリプロピレンと炭酸カルシウムとの混合シートを延伸することにより構成されたものを用いることができる。
【００６８】
シート５０ａが第１不織布シート、第２不織布シート及び通気シートの３層構造である場合は、第１不織布シート、第２不織布シート及び通気シートをこの順に積層した状態で熱プレスを行うことにより、突起部５２を形成する。
シート５０ａが第１不織布シート、第２不織布シート及び通気シートの３層構造である場合も、熱プレスの温度は、第１樹脂材料の融点と第２樹脂材料の融点との中間の温度に設定する。また、熱プレスの温度は、第２樹脂材料が十分に溶融できる範囲内で、なるべく低温（例えば、第２樹脂材料の融点＋３０℃以下の温度、好ましくは第２樹脂材料の融点＋１０℃以下の温度）に設定することが好ましい。
更に、シート５０ａが第１不織布シート、第２不織布シート及び通気シートの３層構造である場合の熱プレスの温度は、通気シートが含む第３樹脂材料の融点よりも低い温度であって、通気シートの延伸温度よりも低い温度に設定することが好ましい。これにより、熱プレス後においても通気シートの通気孔を維持させ、該通気シートの通気性を確保することができる。
【００６９】
次に、温熱具１００を使用する方法の例を説明する。
【００７０】
本実施形態の場合、突起部５２を含む突起部ユニット５０が予めマスク本体部１０に貼り付けられている。すなわち、突起部ユニット５０の貼付部５３を介して基部５１が第１シート１１に貼り付けられることによって、予め突起部５２がマスク本体部１０に設けられている。
温熱具１００の着用時には、マスク本体部１０の第１シート１１を顔側にして、つまり突起部ユニット５０の突起部５２を顔側にして、左目覆い部１０ａ及び右目覆い部１０ｂをそれぞれ左右の目周りにあてがい、一対の耳掛け部３０をそれぞれ左右の耳に引っ掛ける。
【００７１】
ここで、このように使用者が温熱具１００を着用した状態で、複数の突起部５２のうちの少なくとも１つが使用者の目周りのツボを押せる位置に配置されるように、温熱具１００は構成されている。すなわち、複数の突起部５２のうちの少なくとも１つが、目の周囲近傍に配置される。
より詳細には、発熱体２０の上縁２０ａに沿って並ぶ複数の突起部５２のうちの少なくとも１つが、目の上方のツボを押せる位置に配置される。また、発熱体２０の側縁２０ｃに沿って並ぶ複数の突起部５２のうちの少なくとも１つが、目の側方のツボ（こめかみのツボなど）を押せる位置に配置される。
本実施形態の場合、発熱体２０の上縁２０ａに沿って並ぶ複数の突起部５２が目の上方のツボを押せる位置に配置され、発熱体２０の側縁２０ｃに沿って並ぶ複数の突起部５２が目の側方のツボを押せる位置に配置される。
【００７２】
使用者が温熱具１００を着用した状態で、マスク本体部１０を手で顔側に押し付けることで、突起部５２によって目周りのツボ押しを行うことができる。
また、発熱体２０の周縁に沿った配置された突起部５２によってツボ押しを行うことによって、発熱体２０による温熱作用（本実施形態の場合、蒸気温熱作用）とツボ押しとの相乗効果を一層高めることができる。
【００７３】
ここで、一対の耳掛け部３０及びマスク本体部１０がそれぞれ柔軟な不織布シートにより構成されているため、突起部５２の位置の微調整を容易に行うことができる。よって、使用者は、突起部５２の位置を、突起部５２が心地よく感じる位置に調整して、突起部５２によるツボ押しを行うことができる。
【００７４】
以上のような第１実施形態に係る温熱具１００によれば、使用者が温熱具１００を着用した状態において、例えば、マスク本体部１０を手で顔側に押し付けることで、突起部５２によって目周りのツボ押しを行うことができる。この際に、発熱体２０による温熱効果と複数の突起部５２によるツボ押し効果との相乗効果が期待できる。
【００７５】
温熱具１００の使用方法としては、例えば、温熱具１００の使用中において、発熱体２０の発熱開始後、所定時間（一例として１０分間）の経過後に、突起部５２を目周りの皮膚に押圧することでマッサージを行うことが挙げられる。マッサージを行う時間の長さは特に限定されないが、一例として、３分間程度のマッサージを行うことができる。
或いは、温熱具１００の使用方法としては、例えば、温熱具１００の使用開始段階の所定時間（一例として、３分間）の間において、突起部５２を目周りの皮膚に押圧することでマッサージを行うことが挙げられる。
【００７６】
なお、上記の第１実施形態では、発熱体２０は、蒸気を放出しない発熱性のものであってもよい。したがって、温熱具１００は、蒸気温熱具ではなく、単なる温熱具であってもよい。
【００７７】
また、上記の第１実施形態では、突起部ユニット５０を構成するシート５０ａが不織布シートにより構成されている例を説明したが、シート５０ａは、樹脂シート又はゴムシートであってもよい。また、上記の第１実施形態では、シート５０ａが通気性及び透湿性を有する例を説明したが、シート５０ａは通気性と透湿性との一方又は両方を有していなくてもよい（非通気性又は非透湿性を有していてもよい）。
【００７８】
また、上記の第１実施形態では、複数の突起部５２が突起部ユニット５０の形態でまとめてマスク本体部１０に貼り付けられている例を説明したが、個々の突起部５２が個別にマスク本体部１０に設けられて、発熱体２０の周縁に沿って並んで配置されていてもよい。
【００７９】
また、上記の第１実施形態では、突起部５２の内部が空洞である例を説明したが、突起部５２の内部が空洞でなくてもよい（突起部５２が中実構造となっていてもよい）。
【００８０】
また、上記の第１実施形態では、温熱具１００が一対の耳掛け部３０を用いて使用者が着用するタイプである例を説明した。ただし、本発明は、この例に限らず、温熱具１００は、バンド（不図示）を用いて頭部に装着して用いるタイプであってもよい。また、温熱具１００は、使用者が仰向けで寝た状態で目周りにマスク本体部１０を載せて更に当該マスク本体部１０の上にアイピローなどのおもりを載せて使用するタイプであってもよい。
【００８１】
＜第１実施形態に係る温熱具の突起部ユニットの変形例＞
次に、図６（ａ）から図６（ｄ）を用いて突起部ユニット５０の変形例を説明する。上述した第１実施形態に係る突起部ユニット５０の代わりに（又は、上述した第１実施形態に係る突起部ユニット５０に加えて）、以下に説明する各変形例の突起部ユニット５０がマスク本体部１０に貼り付けられていてもよい。なお、図６（ａ）から図６（ｄ）の各々においては突起部５２の形状を単なる円で示しているが、突起部５２の形状は第１実施形態と同様であってもよい。
【００８２】
＜第１実施形態に係る温熱具の突起部ユニットの変形例１＞
図６（ａ）に示すように、本変形例の場合、突起部ユニット５０が備える複数の突起部５２がＩ字状に並んで配置されている。すなわち、複数の突起部５２が一直線上に並んで配置されている。
【００８３】
＜第１実施形態に係る温熱具の突起部ユニットの変形例２＞
図６（ｂ）に示すように、本変形例の場合、突起部ユニット５０が備える複数の突起部５２がＴ字状に並んで配置されている。すなわち、突起部ユニット５０が備える複数の突起部５２が備える複数の突起部５２には、第１方向に並ぶ複数の突起部５２と、第１方向に対して交差（例えば直交）する方向に並ぶ複数の突起部５２と、が含まれている。
【００８４】
＜第１実施形態に係る温熱具の突起部ユニットの変形例３＞
図６（ｃ）に示すように、本変形例の場合、突起部ユニット５０が備える複数の突起部５２が十字状に並んで配置されている。すなわち、突起部ユニット５０が備える複数の突起部５２が備える複数の突起部５２には、第１方向に並ぶ複数の突起部５２と、第１方向に対して交差（例えば直交）する方向に並ぶ複数の突起部５２と、が含まれている。
【００８５】
＜第１実施形態に係る温熱具の突起部ユニットの変形例４＞
図６（ｄ）に示すように、本変形例の場合、突起部ユニット５０が備える複数の突起部５２が弧状に並んで配置されている。本変形例の場合、突起部ユニット５０の複数の突起部５２が、眉の上縁に沿って配置（又は眉に沿って配置）されるようにしたり、又は、目の下縁に沿って頬骨の上縁に配置（又は下瞼に配置）されるようにすることができ、目周りのツボのうち目の上方又は下方のツボを突起部５２によって好適に押圧することが可能となる。
例えば、複数の突起部５２には、発熱体２０の上縁２０ａ（図３）に沿って上に凸の弧状に並ぶ３つ以上の突起部５２が含まれている。
【００８６】
なお、温熱具１００は、図６（ａ）から図６（ｄ）を用いて説明したような変形例に係る突起部ユニット５０のうち、同一の形状の突起部ユニット５０を複数備えていたり、又は、互いに異なる形状の突起部ユニット５０を複数備えていたりしてもよい。
すなわち、温熱具１００は、複数の突起部ユニット５０を備えていてもよい。また、複数の突起部ユニット５０には、複数の突起部５２の並び方が互いに異なる複数種類の突起部ユニット５０が含まれていてもよい。
【００８７】
〔第２実施形態〕
次に、図７等を用いて第２実施形態を説明する。
本実施形態に係る温熱具（全体図示略）は、以下に説明する点で、上記の第１実施形態に係る温熱具１００と相違しており、その他の点では、上記の第１実施形態に係る温熱具１００と同様に構成されている。
【００８８】
上記の第１実施形態では、突起部５２が（突起部ユニット５０が）予めマスク本体部１０に貼り付けられている例を説明したのに対し、本実施形態では、当初は突起部５２が（突起部ユニット５０が）マスク本体部１０に貼り付けられておらず、使用者が突起部５２を（突起部ユニット５０を）マスク本体部１０に貼り付けて温熱具１００を着用する例を説明する。
【００８９】
本実施形態に係る温熱具は、目周りを覆うマスク本体部１０と、マスク本体部１０に設けられた発熱体２０（図１等参照）と、を備える温熱具であって、マスク本体部１０に対して貼り付け可能な複数の突起部５２（図４（ａ）、図４（ｂ）及び図５等）を備え、マスク本体部１０は、複数の突起部５２の貼り付け予定位置が発熱体２０の周縁に沿った位置であることを示す標示部１９（図７）を有する。
【００９０】
より詳細には、標示部１９は、突起部ユニット５０（図４（ａ）、図４（ｂ））の貼り付け位置を示すものである。標示部１９は、例えば、マスク本体部１０の第１シート１１における外面に印刷された囲み枠などである。この囲み枠は、例えば、突起部ユニット５０と対応する形状に形成されている。すなわち、囲み枠の形状は、例えば、突起部ユニット５０の外形線及び開口５４の内周と対応する形状となっている。なお、この囲み枠の形成領域には、模様（網掛け模様）などが印刷されていてもよい。
【００９１】
本実施形態の場合、標示部１９の少なくとも一部分は、発熱体２０の角部を挟む２辺（例えば、上縁及び側縁）に沿って延在している。
【００９２】
本実施形態によれば、マスク本体部１０が複数の突起部５２の貼り付け位置を示す標示部１９を有しているので、使用者は、マスク本体部１０に対して複数の突起部５２を貼り付ける位置を容易に認識できる。また、標示部１９の位置を目安にして複数の突起部５２をマスク本体部１０に対して位置合わせして、複数の突起部５２を容易にマスク本体部１０に貼り付けることができる。
標示部１９を目安にして突起部ユニット５０をマスク本体部１０に貼り付けた状態では、複数の突起部５２が発熱体２０の周縁に沿って並んで配置される。換言すれば、標示部１９は、複数の突起部５２の貼り付け予定位置が発熱体２０の周縁に沿った位置であることを示している。
【００９３】
なお、突起部ユニット５０の上縁及び下縁は、マスク本体部１０の上縁及び下縁に沿った形状となっている。このため、突起部ユニット５０をマスク本体部１０に対して容易に位置合わせして、突起部ユニット５０をマスク本体部１０に貼り付けることができる。
【００９４】
本実施形態の場合も、使用者が温熱具１００を着用した状態において、例えば、マスク本体部１０を手で顔側に押し付けることで、突起部５２によって目周りのツボ押しを行うことができる。この際に、発熱体２０による温熱効果と複数の突起部５２によるツボ押し効果との相乗効果が期待できる。
【００９５】
また、使用者が好みに応じて突起部ユニット５０をマスク本体部１０に貼り付けて、図１及び図２の状態の温熱具１００を使用することができる。すなわち、突起部ユニット５０の使用の有無などを使用者が選択することができる。なお、突起部ユニット５０の形状によっては、マスク本体部１０に対する突起部ユニット５０の貼り付け位置を使用者が好みに合わせて調節することもできる。
ここで、複数の突起部５２がユニット化されて構成された突起部ユニット５０をマスク本体部１０に対して貼り付けることができるため、複数の突起部５２をまとめてマスク本体部１０に装着することができる。つまり、マスク本体部１０に対する複数の突起部５２の装着が容易となる（突起部５２の装着性が良好となる）。
また、温熱具１００の製造者は、突起部ユニット５０をマスク本体部１０に貼り付ける工程を省略することができる。
【００９６】
本実施形態の場合、マスク本体部１０と突起部ユニット５０とが同梱されていることが好ましい。すなわち、例えば、店舗での温熱具１００の販売時や、その他の流通時や、保管時において、マスク本体部１０と突起部ユニット５０とが同梱された状態となっている。一例として、マスク本体部１０と突起部ユニット５０とは、共通の包装箱に収容されている。なお、マスク本体部１０と突起部ユニット５０とは、共通の包装袋に収容されていても良いし、別個の包装袋に収容されていてもよい。
【００９７】
なお、突起部ユニット５０の形状が図６（ａ）から図６（ｄ）を用いて説明したような変形例の形状である場合にも、同様に、マスク本体部１０に標示部が形成されていてもよい。これらの場合の標示部も、囲み枠とすることができ、囲み枠の形状は、突起部ユニット５０と対応する形状とすることができる。
突起部ユニット５０の形状が、図６（ａ）に示す形状の場合、標示部の少なくとも一部分又は全体が、Ｉ字状に形成されている。
突起部ユニット５０の形状が、図６（ｂ）に示す形状の場合、標示部の少なくとも一部分又は全体が、Ｔ字状に形成されている。
突起部ユニット５０の形状が、図６（ｃ）に示す形状の場合、標示部の少なくとも一部分又は全体が、十字状に形成されている。
突起部ユニット５０の形状が、図６（ｄ）に示す形状の場合、標示部の少なくとも一部分又は全体が、弧状に形成されている。例えば、標示部の少なくとも一部分が、発熱体２０の上縁に沿って弧状に延在している。
標示部は、発熱体２０の下縁を避けて配置されていてもよい。
また、複数の突起部ユニット５０、又は、複数種類の突起部ユニット５０をマスク本体部１０に貼り付けるための標示部がマスク本体部１０に形成されていてもよい。
【００９８】
〔第３実施形態〕
次に、図８及び図９を用いて第３実施形態を説明する。
本実施形態に係る温熱具１００は、以下に説明する点で、上記の第１実施形態に係る温熱具１００と相違しており、その他の点では、上記の第１実施形態に係る温熱具１００と同様に構成されている。
【００９９】
本実施形態の場合、図８及び図９に示すように、複数の突起部５２が発熱体２０の周縁部と重ねて配置されている。これにより、発熱体２０による温熱効果（本実施形態の場合、蒸気温熱効果）と複数の突起部５２によるツボ押し効果との相乗効果が更に高まることが期待できる。
突起部５２の材料として、上述したような不織布シートを用いることによって、発熱体２０から放出される蒸気を、突起部５２を介して顔面に供給することも可能である。
【０１００】
温熱具１００が備える複数の突起部５２のうち、一部の突起部５２のみが発熱体２０の周縁部と重なっていてもよいし、すべての突起部５２が発熱体２０の周縁部と重なっていてもよい。
また、発熱体２０の周縁部と重なっている突起部５２について、当該突起部５２の全体が発熱体２０の周縁部と重なっていても良いし、当該突起部５２の一部分のみが発熱体２０の周縁部と重なっていてもよい。
【０１０１】
また、本実施形態の場合も、第２実施形態と同様に、マスク本体部１０に標示部が形成されていて、使用者が突起部ユニット５０をマスク本体部１０に貼り付けて温熱具１００を使用するようになっていてもよい。この場合、標示部の少なくとも一部分が発熱体２０の周縁部と重ねて配置されている。
【０１０２】
〔第４実施形態〕
次に、図１０を用いて第４実施形態を説明する。
本実施形態に係る温熱具（全体図示略）は、以下に説明する点で、上記の第３実施形態に係る温熱具１００と相違しており、その他の点では、上記の第３実施形態に係る温熱具１００と同様に構成されている。なお、図１０においては、一対の耳掛け部３０の図示を省略している。
【０１０３】
本実施形態の場合、複数の突起部５２には、発熱体２０の上縁２０ａに沿って上に凸の弧状に並ぶ３つ以上の突起部５２が含まれている。
このため、複数の突起部５２が眉の上縁に沿って配置（又は眉に沿って配置）されるようにでき、目の上方のツボを複数の突起部５２によって好適に押圧することが可能となる。
【０１０４】
本実施形態の場合も、第２実施形態と同様に、マスク本体部１０に標示部が形成されていてもよい。すなわち、使用者が突起部ユニット５０をマスク本体部１０に貼り付けて温熱具１００を使用するようになっていてもよい。
【０１０５】
〔第５実施形態〕
次に、図１１から図１４を用いて第５実施形態を説明する。
図１２（ａ）、図１２（ｂ）、図１３（ａ）及び図１３（ｂ）においては突起部５２の形状を単なる円で示しているが、突起部５２の形状は、例えば、図１４に示すように、第１実施形態と同様の形状となっている。
本実施形態に係る温熱具（全体図示略）は、以下に説明する点で、上記の第１実施形態に係る温熱具１００又は上記の第２実施形態に係る温熱具と相違しており、その他の点では、上記の第１実施形態に係る温熱具１００又は上記の第２実施形態に係る温熱具と同様に構成されている。
【０１０６】
上記の各実施形態では、突起部ユニット５０が単体のシート５０ａにより構成されている例を説明した。これに対し、本実施形態の場合、突起部ユニット５０（図１３（ａ）、図１４）は、マスク本体部１０に対して貼り付けられて土台となる基部シート６０（基部）（図１１）と、基部シート６０に対して貼り付けられる貼付ユニット部５７（図１２（ａ）、図１２（ｂ））と、を備えて構成されている。
【０１０７】
基部シート６０は、上記の第１実施形態における突起部ユニット５０の基部５１と同様の構造のものである。基部シート６０は、平坦に形成されている。図１１に示すように、一例として、基部シート６０の平面形状は、上記の第１実施形態における突起部ユニット５０の全体の平面形状と同様の形状に設定されている。図１４に示すように、基部シート６０の裏面には、当該基部シート６０をマスク本体部１０に対して貼り付けるための貼付部５３が形成されている。
【０１０８】
図１３（ａ）に示すように、突起部ユニット５０は、例えば、２つの貼付ユニット部５７を備えて構成されている。
貼付ユニット部５７は、基部５１と、基部５１に設けられている複数の突起部５２と、基部５１を基部シート６０に対して貼り付けるための貼付部５８（図１４）と、を備える。基部５１は、例えば、平坦に形成されている。貼付ユニット部５７は、第１実施形態における突起部ユニット５０と同様の構造のものである。貼付部５８は、貼付部５３と同様に、例えば、粘着剤により構成されている。
【０１０９】
図１２（ａ）及び図１２（ｂ）に示すように、各貼付ユニット部５７は、Ｌ字状に並んで配置された複数（一例として７つ）の突起部５２を備えている。また、貼付ユニット部５７自体の全体形状も、例えば、複数の突起部５２の並び方向に沿ったＬ字状に形成されている。
一方の貼付ユニット部５７（図１２（ａ））と他方の貼付ユニット部５７（図１２（ｂ））とは、互いに左右対称に形成されている。
【０１１０】
例えば、図１３（ａ）及び図１３（ｂ）に示すように、一方の貼付ユニット部５７は、基部シート６０の左半部に設けることができ、他方の貼付ユニット部５７は、基部シート６０の右半部に設けることができる。
図１３（ａ）の例では、貼付ユニット部５７の複数の突起部５２は、温熱具の着用時に目の側方及び目の上方に配置される。
図１３（ｂ）の例では、貼付ユニット部５７の複数の突起部５２は、温熱具の着用時に目の側方及び目の下方に配置される。
【０１１１】
貼付ユニット部５７を使用者が基部シート６０に貼り付ける場合には、基部シート６０に対して貼付ユニット部５７を貼り付ける位置を、使用者の好みに応じて選択することができる。この場合において、基部シート６０は予めマスク本体部１０に貼り付けられていてもよいし、マスク本体部１０に対する基部シート６０の貼り付けも使用者が行うようになっていてもよい。
【０１１２】
〔第６実施形態〕
次に、図１５（ａ）を用いて第６実施形態を説明する。
本実施形態に係る温熱具（全体図示略）は、以下に説明する点で、上記の第２実施形態に係る温熱具と相違しており、その他の点では、上記の第２実施形態に係る温熱具と同様に構成されている。
本実施形態の場合も、マスク本体部１０には、複数の突起部５２の貼り付け予定位置が発熱体２０の周縁に沿った位置であることを示す標示部（不図示）が形成されている。そして、マスク本体部１０に対する突起部ユニット５０の貼り付けは、使用者が行うようになっている。
【０１１３】
本実施形態の場合、突起部ユニット５０は、基部５１において、複数の突起部５２のうち互いに隣り合う突起部５２どうしの間の部位に形成された、易破断部（例えばミシン目５９）を備えている。
このため、突起部ユニット５０をミシン目５９に沿って破断することにより、突起部ユニット５０を分割してマスク本体部１０に貼り付けることができる。すなわち、使用者の好みに応じて、マスク本体部１０に貼り付けられる突起部５２の数を変更したり、マスク本体部１０に貼り付けられる突起部５２の並び方を変更したりすることができる。なお、突起部ユニット５０を複数に分割して得られた個々の個片を、それぞれマスク本体部１０に貼り付けて用いることもできる。
【０１１４】
標示部の形状は、例えば、易破断部において突起部ユニット５０が破断される前の、当初の突起部ユニット５０の全体形状と対応する形状となっている。このため、使用者は、突起部ユニット５０を易破断部において破断した後、標示部が示す枠内の好みの位置に突起部５２を貼り付けて、温熱具を使用することができる。
【０１１５】
易破断部によって、突起部５２を１つずつ分割できるようになっていても良いし、複数個単位で突起部５２を分割できるようになっていてもよい。
より詳細には、本実施形態の場合、突起部ユニット５０は、Ｌ字状に並んで配置された複数（一例として７つ）の突起部５２を備えている。また、突起部ユニット５０自体の全体形状も、例えば、複数の突起部５２の並び方向に沿ったＬ字状に形成されている。
例えば、Ｌ字形状の角をまたぐ２つの突起部５２どうしの間にはミシン目５９が形成されておらず、他の隣り合う突起部５２どうしの間にはそれぞれミシン目５９が形成されている。ただし、Ｌ字形状の角をまたぐ２つの突起部５２どうしの間にもミシン目５９が形成されていてもよい。
図示は省略するが、本実施形態の場合、温熱具１００は、図１５（ａ）に示す突起部ユニット５０とは左右対称の形状のもう１つの突起部ユニット５０を備えている。
【０１１６】
また、基部５１を構成するシートの伸展性にもよるが、ミシン目５９を間に挟んで隣り合う突起部５２を互いに遠ざかる方向に引っ張ることによって、ミシン目５９を伸展させて、これら突起部５２どうしの距離を引き伸ばした状態で、突起部ユニット５０をマスク本体部１０に貼り付けることもできる。これにより、複数の突起部５２どうしの距離を使用者の好みに応じて調節することができる。
この場合、突起部ユニット５０は、基部５１において、複数の突起部５２のうち互いに隣り合う突起部５２どうしの間の部位に形成された、易伸展部（例えばミシン目５９）を備えている、といえる。
【０１１７】
ミシン目５９が易伸展部として機能する場合は、標示部の形状は、例えば、易破断部において突起部ユニット５０が破断される前の、当初の突起部ユニット５０の全体形状よりも大きい形状となっている。より詳細には、標示部の形状は、例えば、突起部ユニット５０を最大限伸展させたときの形状と対応する形状となっている。
【０１１８】
本実施形態の場合も、第５実施形態と同様に、突起部ユニット５０が基部シートと貼付ユニット部とを備えて構成されていてもよい。この場合、貼付ユニット部が、互いに隣り合う突起部５２どうしの間に形成されたミシン目５９（易破断部又は易伸展部）を備える構造となる。
【０１１９】
＜第６実施形態に係る温熱具の突起部ユニットの変形例１＞
図１５（ｂ）に示すように、易破断部又は易伸展部としてのミシン目５９を有する突起部ユニット５０は、直線状に並ぶ複数の突起部５２を備えていてもよい。
【０１２０】
＜第６実施形態に係る温熱具の突起部ユニットの変形例２＞
図１５（ｃ）に示すように、易破断部又は易伸展部としてのミシン目５９を有する突起部ユニット５０は、マトリクス状に並ぶ複数の突起部５２を備えていてもよい。
【０１２１】
＜突起部の形状の変形例＞
以下、図１６（ａ）から図１９（ｃ）を用いて、突起部５２の形状の変形例について説明する。
【０１２２】
＜突起部の形状の変形例１＞
本変形例に係る突起部５２は、図１６（ａ）、図１６（ｂ）及び図１６（ｃ）に示すように、第１段部５２ａと第２段部５２ｂとの間に配置された環状の凹部５２ｃを備えている。また、第１段部５２ａの頂部は、例えば、環状の平坦部５２ｄとなっている。
第１段部５２ａ、凹部５２ｃ及び第２段部５２ｂは互いに同心に配置されている。
【０１２３】
本変形例の場合も、上記の第１実施形態の場合と同様に、例えば、第１段部５２ａが押し潰された状態で、突起部５２（主として第２段部５２ｂ）により心地よいツボ押しを行うことができる。
また、本変形例の場合は、第２段部５２ｂにより皮膚を押圧してツボ押しする際に、凹部５２ｃが弾性変形することにより、第２段部５２ｂにより十分な弾性力を伴ってツボ押しすることができる。
【０１２４】
＜突起部の形状の変形例２＞
上記においては、個々の突起部５２が第１段部５２ａと第２段部５２ｂとを有する例を説明したが、本変形例の場合、図１７（ａ）、図１７（ｂ）及び図１７（ｃ）に示すように、複数の突起部５２に共通の共通段部７１が基部５１から突出して形成されており、各突起部５２は、共通段部７１から更に突出して形成されている。
共通段部７１は、複数の突起部５２の並び方向において長尺な帯状に延在しており、例えば、当該並び方向に亘ってほぼ一定の高さ寸法に形成されている。
【０１２５】
なお、共通段部７１及び突起部５２の内部は、例えば、空洞となっている。共通段部７１において、隣り合う突起部５２どうしの間に位置する部分は、例えば、他部よりも括れた形状の括れ部７１ａとなっている。
各突起部５２の形状は、例えば、第１実施形態における突起部５２の第２段部５２ｂと同様に、頂部が丸みを帯びた円錐状の形状となっている。
【０１２６】
本変形例の場合は、複数の突起部５２が共通段部７１上に形成されているため、複数の突起部５２どうしの一体性が向上する。よって、複数の突起部５２により一度に十分な押圧強度でツボ押しを行うことができる。
【０１２７】
＜突起部の形状の変形例３＞
上記の変形例２においては、個々の突起部５２が略円錐状である例を説明したが、本変形例の場合は、図１８（ａ）、図１８（ｂ）及び図１８（ｃ）に示すように、各突起部５２は、当該突起部５２の突出方向に視たときの形状が一方向に長尺な山型形状となっている。
なお、本変形例の場合も、複数の突起部５２に共通の共通段部７１が基部５１から突出して形成されており、各突起部５２は、共通段部７１から更に突出して形成されている。共通段部７１は、複数の突起部５２の並び方向において長尺な帯状に延在しており、例えば、当該並び方向に亘ってほぼ一定の高さ寸法に形成されている。共通段部７１は、例えば、半割筒状に形成されている。
なお、各突起部５２の長手方向は、共通段部７１の延在方向に対して交差（例えば直交）する方向となっている。
【０１２８】
＜突起部の形状の変形例４＞
本変形例の場合は、図１９（ａ）、図１９（ｂ）及び図１９（ｃ）に示すように、上記の変形例３の場合と比べて更に、各突起部５２が共通段部７１の延在する方向に対して交差する方向（例えば直交する方向）に長い形状に形成されている。例えば、各突起部５２の長手方向における両端部（裾部は、基部５１に達している。つまり、各突起部５２は、共通段部７１を横断している。共通段部７１を半割の竹に見立てると、各突起部５２は、竹の節のような形状に形成されている。
【０１２９】
〔第７実施形態〕
次に、図２０（ａ）、図２０（ｂ）及び図２０（ｃ）を用いて第７実施形態を説明する。
本実施形態に係る温熱具１００は、以下に説明する点で、上記の第１実施形態に係る温熱具１００と相違しており、その他の点では、上記の第１実施形態に係る温熱具１００と同様に構成されている。
【０１３０】
図２０（ａ）に示すように、本実施形態の場合も、突起部ユニット５０がマスク本体部１０に貼り付けられている。また、複数の突起部５２の配置は、例えば、図２０（ａ）に示すように、図１に示す配置と同様である。
本実施形態の場合、各突起部５２の形状は、例えば、図１６（ａ）、図１６（ｂ）及び図１６（ｃ）に示すものと同様である。ただし、各突起部５２の形状は、その他の形状でもよい。
【０１３１】
本実施形態の場合、温熱具１００は、高さ寸法（突起部５２の突出方向における寸法）が互いに異なる複数の突起部５２を備えている。したがって、突起部ユニット５０は、高さ寸法が互いに異なる複数の突起部５２を備えている。
【０１３２】
より詳細には、例えば、図２０（ａ）に示すように、左目覆い部１０ａに設けられた発熱体２０の上縁２０ａに沿って左右に並んで配置されている複数（例えば４つ）の突起部５２のうち、マスク本体部１０の横幅方向における中央寄りに配置されている３つの突起部５２は、相対的に高さ寸法が大きい（突出方向における寸法が大きい）第１突起部５２１である。
また、左目覆い部１０ａに設けられた発熱体２０の上縁２０ａに沿って左右に並んで配置されている複数（例えば４つ）の突起部５２のうち、上記第１突起部５２１を除いた残り１つの突起部５２は、相対的に高さ寸法が小さい（突出方向における寸法が第１突起部５２１よりも小さい）第２突起部５２２である。
また、左目覆い部１０ａに設けられた発熱体２０の側縁２０ｃ（マスク本体部１０の横幅方向における端部寄りの側縁）に沿って上下に並んで配置されている複数（例えば３つ）の突起部５２のうち、例えば、上側の２つの突起部５２は第２突起部５２２であり、最も下に位置する１つの突起部５２は、第２突起部５２２と高さ寸法が等しい第２突起部５２３である。
【０１３３】
また、右目覆い部１０ｂには、左目覆い部１０ａとは左右対称に、複数の突起部５２が配置されている。
【０１３４】
図２０（ｂ）に示すように、第１突起部５２１の形状は、例えば、図１６（ｃ）に示す突起部５２と同じである。
一方、図２０（ｃ）に示すように、第２突起部５２２、５２３は、第１突起部５２１を全体的に高さ方向（突出方向）において縮めたような形状となっている。
このため、第１突起部５２１の第１段部５２ａの側周面の傾斜角度や第２段部５２ｂの側周面の傾斜角度よりも、第２突起部５２２、５２３の第１段部５２ａの側周面の傾斜角度や第２段部５２ｂの側周面の傾斜角度の方が緩くなっている。
【０１３５】
このように、本実施形態の場合、複数の突起部５２がマスク本体部１０に設けられており、複数の突起部５２には、第１突起部５２１と、突出方向における寸法が第１突起部５２１よりも小さい第２突起部５２２、５２３と、が含まれている。
なお、第１突起部５２１の第２段部５２ｂの側周面の傾斜角度と第２突起部５２２、５２３の第２段部５２ｂの側周面の傾斜角度とが互いに等しい一方で、第１突起部５２１の第１段部５２ａの側周面の傾斜角度よりも第２突起部５２２、５２３の第１段部５２ａの側周面の傾斜角度が緩くなっていることによって、突出方向において第２突起部５２２、５２３の寸法が第１突起部５２１の寸法よりも小さくなっていてもよい。また、第１突起部５２１の第１段部５２ａの側周面の傾斜角度と第２突起部５２２、５２３の第１段部５２ａの側周面の傾斜角度とが互いに等しい一方で、第１突起部５２１の第２段部５２ｂの側周面の傾斜角度よりも第２突起部５２２、５２３の第２段部５２ｂの側周面の傾斜角度が緩くなっていることによって、突出方向において第２突起部５２２、５２３の寸法が第１突起部５２１の寸法よりも小さくなっていてもよい。
また、第１突起部５２１は、マスク本体部１０の横幅方向における中央寄りの位置に配置されており、第２突起部５２２、５２３は、マスク本体部１０の横幅方向における端部寄りの位置に配置されている。
【０１３６】
第１突起部５２１の突出方向における第１突起部５２１の寸法は、特に限定されないが、例えば、２ｍｍ以上１０ｍｍ以下であることが好ましく、３ｍｍ以上８ｍｍ以下であることがより好ましい。
第２突起部５２２、５２３の突出方向における第２突起部５２２、５２３の寸法は、特に限定されないが、例えば、１ｍｍ以上８ｍｍ以下であることが好ましく、２ｍｍ以上６ｍｍ以下であることがより好ましい。
【０１３７】
突出方向における寸法が相対的に大きい第１突起部５２１は、使用者の顔の表面に対してしっかり当てることができ、第１突起部５２１によって心地よいマッサージ効果を得ることができる。
その一方で、突出方向における寸法が相対的に小さい第２突起部５２２、５２３は、使用者の顔の表面に対するフィット性が良好であり、使用者は第２突起部５２２、５２３による鍼灸効果を実感することができる。
このように、本実施形態によれば、突出方向における寸法が互いに異なる突起部５２により、それぞれ異なる効果を得ることができる。
【０１３８】
なお、第７実施形態では、温熱具１００が備える突起部５２の高さ寸法が２種類である例を説明したが、温熱具１００が備える突起部５２の高さ寸法が３種類以上であってもよい。
また、図２０（ａ）に示す複数の突起部５２のなかでは、発熱体２０の側縁２０ｃに沿って上下に並ぶ複数の突起部５２のうち、最も下に位置する第２突起部５２３は、最も必要性が低いと考えられ、温熱具１００は第２突起部５２３を有していない構造であってもよい。
【０１３９】
〔第８実施形態〕
引き続き図２０（ａ）を用いて第８実施形態に係る温熱具１００を説明する。本実施形態に係る温熱具１００は、以下に説明する点で、上記の第７実施形態に係る温熱具１００と相違しており、その他の点では、上記の第７実施形態に係る温熱具１００と同様に構成されている。
【０１４０】
本実施形態の場合、第１突起部５２１の形状と第２突起部５２２、５２３の形状とが互いに等しい。ただし、第２突起部５２２、５２３は、第１突起部５２１と比べて、突出方向の荷重に対して潰れやすい。
すなわち、本実施形態の場合、複数の突起部５２がマスク本体部１０に設けられており、複数の突起部５２には、第１突起部５２１と、突出方向の荷重に対して第１突起部５２１よりも潰れやすい第２突起部５２２、５２３と、が含まれている。
また、第１突起部５２１は、マスク本体部１０の横幅方向における中央寄りの位置に配置されており、第２突起部５２２、５２３は、マスク本体部１０の横幅方向における端部寄りの位置に配置されている。
【０１４１】
第２突起部５２２、５２３が第１突起部５２１と比べて突出方向の荷重に対して潰れやすい構造を実現する手法としては、第２突起部５２２、５２３を構成する不織布シートの坪量を第１突起部５２１を構成する不織布シートの坪量よりも小さくすること、第２突起部５２２、５２３を構成する不織布シートと第１突起部５２１を構成する不織布シートとで材料を異ならせること、又は、第２突起部５２２、５２３を加工するプレス温度を第１突起部５２１を加工するプレス温度よりも低くすること、などが挙げられる。
【０１４２】
突出方向の荷重に対して第１突起部５２１よりも潰れやすい第２突起部５２２、５２３は、使用者の顔の表面に対するフィット性が良好であり、使用者は第２突起部５２２、５２３による鍼灸効果を実感することができる。
【０１４３】
なお、本実施形態において、突出方向の荷重に対する突起部５２の潰れやすさが２種類（第１突起部５２１と、第２突起部５２２、５２３との２種類）である例を説明したが、突出方向の荷重に対する突起部５２の潰れやすさが３種類以上であってもよい。
また、本実施形態においても、第７実施形態と同様に、温熱具１００は、高さ寸法が互いに異なる複数の突起部５２を備えていてもよく、例えば、第１突起部５２１の高さ寸法よりも第２突起部５２２、５２３の高さ寸法を小さくしてもよい。
また、本実施形態においても、温熱具１００は第２突起部５２３を有していなくてもよい。
【０１４４】
〔第９実施形態〕
次に、図２１（ａ）及び図２１（ｂ）を用いて第９実施形態を説明する。
本実施形態に係る温熱具１００は、突起部ユニット５０の構成が第１実施形態に係る温熱具１００と相違しており、その他の点では第１実施形態に係る温熱具１００と同様に構成されている。
【０１４５】
本実施形態の場合も、突起部５２は、第１段部５２ａと第２段部５２ｂとを備えて構成されている。第１段部５２ａは、本実施形態の場合も、半球状（ドーム状）である。また、本実施形態の場合、第２段部５２ｂも、半球状（ドーム状）である。
本実施形態の場合、第２段部５２ｂの直径は、例えば、第１段部５２ａの直径の半分よりも大きい。
【０１４６】
本実施形態の場合、突起部ユニット５０の基部５１は、発熱体２０の上縁２０ａに沿って横幅方向に直線状に延在している。より詳細には、突起部ユニット５０は、例えば、発熱体２０の上縁２０ａよりも上側に配置されている。ただし、突起部ユニット５０は、例えば、発熱体２０の上部と重なっていてもよい。
【０１４７】
〔第１０実施形態〕
次に、図２２（ａ）及び図２２（ｂ）を用いて第１０実施形態を説明する。
本実施形態に係る温熱具１００は、突起部５２の形状が第９実施形態に係る温熱具１００と相違しており、その他の点では第９実施形態に係る温熱具１００と同様に構成されている。
本実施形態の場合も、突起部５２は、第１段部５２ａと第２段部５２ｂとを備えて構成されている。
図２２（ａ）に示すように、本実施形態の場合、第１段部５２ａにおいて第２段部５２ｂの周囲に位置する部分の径方向における寸法は、周方向において周期的に増減を繰り返している。
より詳細には、本実施形態の場合、突起部５２は、５弁花を模した形状である。第１段部５２ａは、５弁花の花びらを模した形状となっている。第２段部５２ｂは、第９実施形態と同様に半球状（ドーム状）である。このため、第１段部５２ａにおいて第２段部５２ｂの周囲に位置する部分の径方向における寸法は、周方向において７２度の角度間隔ごとに増減を繰り返している。
本実施形態の場合、第２段部５２ｂの直径は、例えば、第１段部５２ａの直径の半分よりも小さい。
【０１４８】
〔第１１実施形態〕
次に、図２３（ａ）及び図２３（ｂ）を用いて第１１実施形態を説明する。
本実施形態に係る温熱具１００は、突起部５２の形状が第９実施形態及び第１０実施形態に係る温熱具１００と相違しており、その他の点では第９実施形態及び第１０実施形態に係る温熱具１００と同様に構成されている。
本実施形態の場合、突起部５２は一段構造となっており、山型形状に形成されている。より詳細には、突起部５２の下部は円錐台状に形成されており、当該下部の上側に連接されている突起部５２の上部は半球状（ドーム状）に形成されている。
【０１４９】
本発明は上述の実施形態に限定されるものではなく、本発明の目的が達成される限りにおける種々の変形、改良等の態様も含む。
例えば、温熱具１００は、互いに面積が異なる複数の突起部５２を備えていてもよい。互いに同一の平面形状の突起部５２どうしを比較した場合、より面積が大きい突起部５２の方が、使用者の顔の表面に対するフィット性が良好となる。
また、各実施形態及び各変形例は、本発明の趣旨を逸脱しない範囲で適宜に組み合わせることができる。
【０１５０】
上記実施形態は、以下の技術思想を包含する。
＜１＞目周りを覆うマスク本体部と、前記マスク本体部に設けられた発熱体と、を備える温熱具であって、（１）前記発熱体の周縁に沿って並んで配置されている複数の突起部を備えているか、又は、（２）前記マスク本体部に対して貼り付け可能な複数の突起部を備え、前記マスク本体部は、前記複数の突起部の貼り付け予定位置が前記発熱体の周縁に沿った位置であることを示す標示部を有する温熱具。
＜２＞前記複数の突起部には、第１方向に並ぶ２つ以上の突起部と、前記第１方向に対して交差する方向に並ぶ２つ以上の突起部と、が含まれている＜１＞に記載の温熱具。
＜３＞前記複数の突起部は、前記発熱体の角部を挟む２辺に沿って並んでいるか、又は、前記標示部の少なくとも一部分は、前記発熱体の角部を挟む２辺に沿って延在している＜１＞又は＜２＞に記載の温熱具。
＜４＞前記複数の突起部は、前記発熱体の下縁を避けて配置されているか、又は、前記標示部は、前記発熱体の下縁を避けて配置されている＜１＞から＜３＞のいずれか一項に記載の温熱具。
＜５＞前記複数の突起部には、前記発熱体の上縁に沿って上に凸の弧状に並ぶ３つ以上の突起部が含まれているか、又は、前記標示部の少なくとも一部分が、前記発熱体の上縁に沿って弧状に延在している＜１＞から＜４＞のいずれか一項に記載の温熱具。
＜６＞前記複数の突起部が、Ｉ字状、Ｌ字状、Ｔ字状、十字状又は弧状に並んでいるか、又は、前記標示部の少なくとも一部分が、Ｉ字状、Ｌ字状、Ｔ字状、十字状又は弧状に形成されている＜１＞から＜５＞のいずれか一項に記載の温熱具。
＜７＞前記複数の突起部が前記発熱体の周縁部と重ねて配置されているか、又は、前記標示部の少なくとも一部分が前記発熱体の周縁部と重ねて配置されている＜１＞から＜５＞のいずれか一項に記載の温熱具。
＜８＞前記マスク本体部に対して貼り付け可能な複数の突起部のうち２つ以上の突起部を含んで構成され、前記マスク本体部に対して貼り付けられる突起部ユニットを備える＜１＞から＜７＞のいずれか一項に記載の温熱具。
＜９＞前記突起部ユニットは、基部と、前記基部に設けられている前記２つ以上の突起部と、前記基部を前記マスク本体部に対して貼り付けるための貼付部と、を備える＜８＞に記載の温熱具。
＜１０＞前記基部において、前記２つ以上の突起部のうち互いに隣り合う突起部どうしの間の部位に形成された、易破断部を備えている＜９＞に記載の温熱具。
＜１１＞前記基部において、前記２つ以上の突起部のうち互いに隣り合う突起部どうしの間の部位に形成された、易伸展部を備えている＜９＞又は＜１０＞に記載の温熱具。
＜１２＞前記突起部は、第１段部と、前記第１段部よりも当該突起部の突出方向先端側に配置されていて当該突起部の突出方向に当該突起部を視たときの寸法が前記第１段部よりも小さい第２段部と、を含む複数段構造である＜１＞から＜１１＞のいずれか一項に記載の温熱具。
＜１３＞前記複数の突起部が前記マスク本体部に設けられており、使用者が当該温熱具を着用した状態で、前記複数の突起部のうちの少なくとも１つが前記使用者の目周りのツボを押せる位置に配置される＜１＞から＜１２＞のいずれか一項に記載の温熱具。
＜１４＞前記複数の突起部が前記マスク本体部に設けられており、前記複数の突起部には、第１突起部と、突出方向における寸法が前記第１突起部よりも小さい第２突起部と、が含まれている＜１＞から＜１３＞のいずれか一項に記載の温熱具。
＜１５＞前記複数の突起部が前記マスク本体部に設けられており、前記複数の突起部には、第１突起部と、突出方向の荷重に対して前記第１突起部よりも潰れやすい第２突起部と、が含まれている＜１＞から＜１４＞のいずれか一項に記載の温熱具。
＜１６＞前記第１突起部は、前記マスク本体部の横幅方向における中央寄りの位置に配置されており、前記第２突起部は、前記マスク本体部の横幅方向における端部寄りの位置に配置されている＜１４＞又は＜１５＞に記載の温熱具。
【０１５１】
更に、上記実施形態は、以下の技術思想を包含する。
＜１７＞前記標示部は、前記マスク本体部の外面に印刷された囲み枠である＜１＞から＜１６＞のいずれか一項に記載の温熱具。
＜１８＞前記標示部は、前記マスク本体部の外面に印刷された囲み枠であり、前記囲み枠は、前記突起部ユニットと対応する形状に形成されている＜８＞から＜１１＞のいずれか一項に記載の温熱具。
＜２０＞前記突起部ユニットは、前記マスク本体部に対して貼り付けられて土台となる基部シートと、前記基部シートに対して貼り付けられる貼付ユニット部と、を備えて構成され、前記貼付ユニット部は、基部と、前記基部に設けられている複数の前記突起部と、前記基部を前記基部シートに対して貼り付けるための貼付部と、を備えている＜８＞又は＜１８＞に記載の温熱具。
＜２１＞前記マスク本体部の横幅方向における両端部に対して各々の一端部が固定されていて耳に掛けられる一対の耳掛け部を備える＜１＞から＜２０＞のいずれか一項に記載の温熱具。
＜２２＞前記マスク本体部は、左目を覆う左目覆い部と、右目を覆う右目覆い部と、を有し、前記基部は、左右の目と対応する位置に配置される左右一対の開口を有し、前記左目覆い部の周縁部及び前記右目覆い部の周縁部に沿う形状に形成されている＜９＞から＜１１＞のいずれか一項に記載の温熱具。
＜２３＞前記左目覆い部と前記右目覆い部とにそれぞれ発熱体が設けられている＜２２＞に記載の温熱具。
＜２４＞前記左目覆い部に設けられた前記発熱体の上縁に沿って左右に並んで配置される複数の突起部と、前記右目覆い部に設けられた前記発熱体の上縁に沿って左右に並んで配置される複数の突起部と、を備える＜２３＞に記載の温熱具。
＜２５＞前記左目覆い部に設けられた前記発熱体の側縁に沿って上下に並んで配置される複数の突起部と、前記右目覆い部に設けられた前記発熱体の側縁に沿って上下に並んで配置される複数の突起部と、を備える＜２３＞又は＜２４＞に記載の温熱具。
＜２６＞前記発熱体の左右一対の側縁のうち、前記マスク本体部の横幅方向における端部側に位置する側縁に沿って複数の突起部が配置される＜２５＞に記載の温熱具。
＜２７＞互いに隣り合う前記突起部どうしの間に前記基部の一部分が配置されている＜９＞から＜１１＞又は＜２２＞から＜２６＞のいずれか一項に記載の温熱具。
＜２８＞前記第１段部は、半球状（ドーム状）の形状である＜１２＞に記載の温熱具。
＜２９＞前記第２段部は、円錐状の形状である＜１２＞又は＜２８＞に記載の温熱具。
＜３０＞前記第２段部の頂部は丸みを帯びている＜１２＞、＜２８＞又は＜２９＞に記載の温熱具。
＜３１＞前記第１段部と前記第２段部とは互いに同心に配置されている＜１２＞又は＜２８＞から＜３０＞のいずれか一項に記載の温熱具。
＜３２＞前記第１段部の高さ寸法は、２ｍｍ以上１０ｍｍ以下であることが好ましく、３ｍｍ以上８ｍｍ以下であることがより好ましい＜１２＞又は＜２８＞から＜３１＞のいずれか一項に記載の温熱具。
＜３３＞前記第２段部の高さ寸法は、１ｍｍ以上５ｍｍ以下であることが好ましく、３ｍｍ以下であることがより好ましい＜１２＞又は＜２８＞から＜３２＞のいずれか一項に記載の温熱具。
＜３４＞前記複数の突起部に共通の共通段部が前記基部から突出して形成されており、各突起部は、前記共通段部から更に突出して形成されている＜９＞又は＜２２＞から＜２７＞のいずれか一項に記載の温熱具。
＜３５＞前記共通段部は、前記複数の突起部の並び方向において長尺な帯状に延在している＜３４＞に記載の温熱具。
＜３６＞前記共通段部は、前記複数の突起部の並び方向に亘って一定の高さ寸法に形成されている＜３４＞又は＜３５＞に記載の温熱具。
＜３７＞前記共通段部において、隣り合う前記突起部どうしの間に位置する部分は、他部よりも括れた形状の括れ部となっている＜３４＞から＜３６＞のいずれか一項に記載の温熱具。
＜３８＞前記共通段部は半割筒状に形成されている＜３４＞から＜３７＞のいずれか一項に記載の温熱具。
＜３９＞前記突起部の高さ寸法は、２ｍｍ以上１０ｍｍ以下であることが好ましく、３ｍｍ以上８ｍｍ以下であることがより好ましい＜１＞から＜３８＞のいずれか一項に記載の温熱具。
＜４０＞前記突起部の直径は、２ｍｍ以上２０ｍｍ以下であることが好ましく、３ｍｍ以上１５ｍｍ以下であることがより好ましい＜１＞から＜３９＞のいずれか一項に記載の温熱具。
＜４１＞隣り合う前記突起部間の距離は、前記突起部の直径未満であることが好ましく、前記突起部の直径の１／２以下であることが更に好ましい＜１＞から＜４０＞のいずれか一項に記載の温熱具。
＜４２＞隣り合う前記突起部の中心間距離は、前記突起部の直径の２倍未満であることが好ましく、前記突起部の直径の１．５倍以下であることが更に好ましい＜１＞から＜４１＞のいずれか一項に記載の温熱具。
＜４３＞互いに異なる形状の複数の前記突起部ユニットを備えている＜８＞から＜１１＞、＜１８＞又は＜２０＞のいずれか一項に記載の温熱具。
＜４４＞前記複数の突起部ユニットには、前記複数の突起部の並び方が互いに異なる複数種類の突起部ユニットが含まれている＜４３＞に温熱具。
＜４７＞互いに面積が異なる複数の前記突起部を備えている＜１＞から＜４４＞のいずれか一項に記載の温熱具。
＜４８＞前記突起部の材料は、不織布であってもよいし、樹脂、ゴム又は紙である上記いずれか一項に記載の温熱具。
＜４９＞前記突起部が樹脂により構成されており、前記突起部に微細な穴が形成されており、前記突起部が通気性を有する上記いずれか一項に記載の温熱具。
＜５０＞前記突起部が異種材料の樹脂を用いた二色成形により形成されている上記いずれか一項に記載の温熱具。
＜５１＞前記突起部において皮膚に接触する側の部分に相対的に柔らかい材料が用いられていていてもよいし、逆に、前記突起部において皮膚に接触する側の部分に相対的に硬い材料が用いられていてもよい＜５０＞に記載の温熱具。
＜５２＞前記突起部が、抄造により形成された紙により構成されており、通気性を有する上記いずれか一項に記載の温熱具。
【実施例】
【０１５２】
以下、実施例及び比較例を説明する。
【０１５３】
【表１】
2019111327.tif 000003
【０１５４】
表１に示す実施例１、比較例１及び比較例２の各々は、８人の被験者に対する実験の結果を示している。表１に示す実施例１は図２１（ａ）に示す温熱具（左右の目周りとそれぞれ対応して４つずつの突起部を有する）を使用した結果を示している。表１に示す比較例１は、発熱体を有していない点で図２１（ａ）に示す温熱具と相違していてその他の点では図２１（ａ）に示す温熱具と同様に構成されている温熱具（不図示）を用いて（蒸気温熱は付与せずに）突起部によりツボに対する刺激のみを行った結果を示している。表１に示す比較例２は、突起部を含む突起部ユニットを備えていない点で図２１（ａ）に示す温熱具と相違する温熱具（不図示）を使用した結果を示している。
表１には、大きく分けて「心理相関（心理面などの影響）」、「目相関（目に対する影響）」、「効果（その他の影響）」について、被験者の主観による評価結果が示されている。
表１に示すように、比較例１では、「心理相関」として、精神的な圧迫から解放されたかのような感じ（精神圧迫解放）、疼痛が緩和されたかのような感じ（疼痛緩和）、及び、（ツボ押しによる）痛感を、それぞれ２人、１人、２人の被験者が実感した。比較例１では、「目相関」として、目がはっきり見えるかのような感じ（晴眼）、眼精疲労が軽減されたかのような感じ（眼精疲労軽減）、眼の圧迫感から解放されたかのような感じ（眼精圧迫解放）、視力が回復したかのような感じ（視力回復）、及び、目がすっきりする感じ（すっきり）を、それぞれ１人、１人、２人、１人、１人の被験者が実感した。比較例１では、「効果」として、血液循環が良化したかのような感じ（血液循環）、プロフェッショナル、及び、中医的な治療を受けたかのような感じ（中医）を、それぞれ２人、１人、１人の被験者が実感した。
表１に示すように、比較例２では、「心理相関」として、リラックスした感じ（リラックス）、快適さ（快適）、安眠の助けになること（安眠誘導）、精神的な圧迫から解放されたかのような感じ（精神圧迫解放）、和らげられたかのような感じ（和らぐ）、及び、休息が得られた感じ（休息）を、それぞれ８人、５人、３人、２人、１人、１人の被験者が実感した。比較例２では、「効果」として、温かさ（温暖）を１人の被験者が実感した。
表１に示すように、実施例１では、「心理相関」として、リラックスした感じ（リラックス）、快適さ（快適）、安眠の助けになること（安眠誘導）、精神的な圧迫から解放されたかのような感じ（精神圧迫解放）、（ツボ押しによる）痛感、精力的になったような感じ（精力的）、及び、無我の境地になったかのような感じ（無我の境地）を、それぞれ４人、１人、１人、３人、１人、３人、１人の被験者が実感した。実施例１では、「目相関」として、目がはっきり見えるような感じ（晴眼）、及び、眼精疲労が改善したかのような感じ（眼精疲労改善）を、それぞれ３人、２人の被験者が実感した。実施例１では、「効果」として、血液循環が促進されたような感じ（血液循環促進）、プロフェッショナル、温かさ（温暖）、治療効果が得られたかのような感じ（治療効果）、及び、相乗効果を、それぞれ４人、１人、１人、１人、１人の被験者が実感した。
これらの結果から、実施例１によれば、比較例１、２と比べて、より様々な種類の効果を使用者が一度に実感できることが分かる。特に、実施例１によれば、比較例１及び比較例２では得られなかった、「精力的になったような感じ」を、半数近くの被験者が実感できた。
【０１５５】
図２４（ａ）は、左から順に、比較例３（突起無し）、実施例２（山型）、及び、実施例３（花型）について、交感神経活動値の測定結果を示す。比較例３、実施例２及び実施例３の被験者は、４０代から５０代の６人の女性である。図２４（ａ）には６人の被験者の平均値を示す。
実施例２は、２段の山型突起部（山型突起部の形状は図２１（ａ）及び図２１（ｂ）を参照）が図１のように左右の目周りとそれぞれ対応して７つずつ配置された温熱具（不図示）を用いた場合を示し、実施例３は花型突起部（花型突起部の形状は図２２（ａ）及び図２２（ｂ）を参照）が図１のように左右の目周りとそれぞれ対応して７つずつ配置された温熱具（不図示）を用いた場合を示し、比較例３は突起部を含む突起部ユニットを備えていない点で実施例２及び実施例３の温熱具と相違する温熱具（不図示）を用いた場合を示す。
比較例３、実施例２及び実施例３の各々について、左、中、及び、右の３本ずつの棒グラフが示されている。比較例３（突起無し）、実施例２（山型）及び実施例３（花型）の各々について、左、中、及び、右の３本ずつの棒グラフのうちの左の棒グラフは、単に温熱具を装着して使用した場合の結果を示す。比較例３（突起無し）、実施例２（山型）及び実施例３（花型）の各々について、左、中、及び、右の３本ずつの棒グラフのうちの中の棒グラフは、温熱具を装着してマッサージを行った場合の結果を示す。比較例３でのマッサージは、温熱具の外側から温熱具を介して手で行い。実施例２及び実施例３でのマッサージは、温熱具の突起部を皮膚に押し付けるようにして温熱具の外側から手で行った。比較例３（突起無し）、実施例２（山型）及び実施例３（花型）の各々について、左、中、及び、右の３本ずつの棒グラフのうちの右の棒グラフは、温熱具の使用及びマッサージをした後に休憩した後で測定した結果を示す。
比較例３、実施例２及び実施例３の各々について、左の棒グラフの値を基準値（＝１）とし、中の棒グラフ及び右の棒グラフは、基準値に対する相対値で示されている。図２４（ａ）において、棒グラフの縦軸の値が大きいほど、交感神経活動値が高いことを示す。
図２４（ａ）に示される結果から、実施例２（山型）及び実施例３（花型）では、比較例３（突起無し）と比べて、使用後の休憩後の交感神経活動値（基準値に対する相対値）が高くなったことが分かる。特に、実施例３（花型）の結果がより良好であったことが分かる。
【０１５６】
図２４（ｂ）は、左から順に、比較例４（突起無し）、実施例４（山型）、及び、実施例５（花型）について、脳波（β波）の出現率の測定結果を示す。比較例４、実施例４及び実施例５でも、被験者は４０代から５０代の６人の女性である。図２４（ｂ）には６人の被験者の平均値を示す。
実施例４で用いた温熱具は実施例２と同じ（山型の突起部を有する温熱具）であり、実施例５で用いた温熱具は実施例３と同じ（花型の突起部を有する温熱具）であり、比較例４で用いた温熱具は比較例３と同じである。
比較例４、実施例４及び実施例５の各々について、左、中、及び、右の３本ずつの棒グラフが示されている。比較例４（突起無し）、実施例４（山型）及び実施例５（花型）の各々について、左、中、及び、右の３本ずつの棒グラフのうちの左の棒グラフは、温熱具の使用前に予め休憩した後での測定結果を示す。比較例４（突起無し）、実施例４（山型）及び実施例５（花型）の各々について、左、中、及び、右の３本ずつの棒グラフのうちの中の棒グラフは、温熱具を装着してマッサージを行った後での測定結果を示す。比較例４でのマッサージは、温熱具の外側から温熱具を介して手で行い。実施例４及び実施例５でのマッサージは、温熱具の突起部を皮膚に押し付けるようにして温熱具の外側から手で行った。比較例４（突起無し）、実施例４（山型）及び実施例５（花型）の各々について、左、中、及び、右の３本ずつの棒グラフのうちの右の棒グラフは、温熱具の使用及びマッサージをした後に休憩した後で測定した結果を示す。
比較例４、実施例４及び実施例５の各々について、左の棒グラフの値を基準値（＝１）とし、中の棒グラフ及び右の棒グラフは、基準値に対する相対値で示されている。図２４（ｂ）において、棒グラフの縦軸の値が大きいほど、脳波（β波）の出現率が高いことを示す。
図２４（ｂ）に示される結果から、実施例４（山型）及び実施例５（花型）では、比較例４（突起無し）と比べて、マッサージを行った後での脳波（β波）の出現率、並びに、温熱具の使用及びマッサージをした後に休憩した後での脳波（β波）の出現率が高くなったことが分かる。特に、実施例５（花型）の結果がより良好であったことが分かる。
【０１５７】
図２５（ａ）は実施例６による皮膚血流束の測定結果を示し、図２５（ｂ）は実施例７による皮膚血流束の測定結果を示す。実施例６及び実施例７の被験者は、４０代から５０代の４人の女性である。図２５（ａ）には４人の被験者の平均値を示す。
実施例６及び実施例７の各々で用いた温熱具は実施例３と同じような花型の突起部４つを有し、且つ突起部が図２１（ａ）のように配置されている温熱具である。
実施例６では、各被験者は、先ず、１０分間の休憩をし、次に、温熱具を１０分間使用し、次に、引き続き温熱具を使用しながら３分間のマッサージを行い、次に、マッサージを止めて引き続き温熱具を７分間使用し、最後に、温熱具を外して１０分間の休憩を行った。
実施例７では、各被験者は、先ず、１０分間の休憩をし、次に、温熱具を使用開始するとともに３分間のマッサージを行い、次に、マッサージを止めて引き続き温熱具を１７分間使用し、最後に、温熱具を外して１０分間の休憩を行った。
つまり、実施例６では、温熱具を使用する途中段階でのみマッサージを行ったのに対し、実施例７では、温熱具の使用開始段階にのみマッサージを行った。
【０１５８】
図２５（ａ）には、こめかみにおける測定結果（左側の４本の棒グラフ）と、眉間における測定結果（右側の４本の棒グラフ）とが示されている。
「こめかみ」の測定値と「眉間」の測定値の各々において、一番左側の棒グラフは、温熱具の使用前、すなわち最初の１０分間の休憩を終えたタイミングでの測定値を示す。左から２番目の棒グラフは、蒸気温熱のみを付与した段階、すなわち温熱具を１０分間使用したタイミングでの測定値を示す。左から３番目の棒グラフは、マッサージ後、すなわち３分間のマッサージを終えたタイミングでの測定値を示す。左から４番目の棒グラフは、最後の休憩を終えたタイミングでの測定値を示す。
「こめかみ」の測定値と「眉間」の測定値の各々について、一番左側の棒グラフの値を基準値（＝１）とし、その他の３本の棒グラフは、基準値に対する相対値で示されている。図２５（ａ）において、棒グラフの縦軸の値が大きいほど、皮膚血流束が多いことを示す。
図２５（ａ）に示すように、実施例６では、こめかみ及び眉間の各々において、温熱具を１０分間使用したタイミングでは使用前と比べて皮膚血流束が増大し、マッサージ後や最後の休憩後には更に皮膚血流束が増大した。
【０１５９】
図２５（ｂ）には、こめかみにおける測定結果（左側の３本の棒グラフ）と、眉間における測定結果（右側の３本の棒グラフ）とが示されている。
「こめかみ」の測定値と「眉間」の測定値の各々において、左の棒グラフは、温熱具の使用前、すなわち最初の１０分間の休憩を終えたタイミングでの測定値を示す。中の棒グラフは、マッサージ後、すなわち３分間のマッサージを終えたタイミングでの測定値を示す。右の棒グラフは、最後の休憩を終えたタイミングでの測定値を示す。
「こめかみ」の測定値と「眉間」の測定値の各々について、左の棒グラフの値を基準値（＝１）とし、中及び右の棒グラフは、基準値に対する相対値で示されている。図２５（ｂ）においても、棒グラフの縦軸の値が大きいほど、皮膚血流束が多いことを示す。
図２５（ｂ）に示すように、実施例７では、こめかみ及び眉間の各々において、マッサージ後や最後の休憩後には使用前と比べて皮膚血流束が増大した。
【０１６０】
図２５（ａ）と図２５（ｂ）の比較から、温熱具の使用中に同じ時間の長さのマッサージを行うならば、使用開始段階で行うよりも、途中段階で行う方が、皮膚血流束を増大させる効果が高いことが分かった。つまり、皮膚温がさほど上昇していない段階でマッサージを行うよりも、皮膚温が十分に上昇した段階でマッサージを行う方が、皮膚血流束を増大させる効果が高いと考えられる。
その一方で、被験者にヒアリングしたところ、温熱具の使用開始段階でマッサージを行う方が、途中でマッサージをよりも、楽（面倒でない）という結果が得られた。温熱具の使用開始段階でマッサージを行った場合でも、図２５（ｂ）に示すように、特に眉間では皮膚血流束の増大作用が確認できた。
【符号の説明】
【０１６１】
１０  マスク本体部
１０ａ  左目覆い部
１０ｂ  右目覆い部
１１  第１シート
１２  第２シート
１３  接合部
１４  上側スリット
１５  下側スリット
１８  収容空間
１９  標示部
２０  発熱体
２０ａ  上縁
２０ｂ  下縁
２０ｃ  側縁
２０ｄ  側縁
２１  第１被覆シート
２２  第２被覆シート
２３  発熱部
２４  接合部
３０  耳掛け部
３１  耳掛け部構成シート
３２  耳掛け用開口
３３  固定部
３４  第１耳掛け用スリット
３５  第２耳掛け用スリット
５０  突起部ユニット
５０ａ  シート
５１  基部
５２  突起部
５２ａ  第１段部
５２ｂ  第２段部
５２ｃ  凹部
５２ｄ  平坦部
５２１  第１突起部
５２２、５２３  第２突起部
５３  貼付部
５４  開口
５５  上側スリット
５６  切欠形状部
５７  貼付ユニット部
５８  貼付部
５９  ミシン目（易破断部、易伸展部）
６０  基部シート（基部）
７１  共通段部
７１ａ  括れ部
１００  温熱具
【図１】
2019111327.tif 000004
【図２】
2019111327.tif 000005
【図３】
2019111327.tif 000006
【図４】
2019111327.tif 000007
【図５】
2019111327.tif 000008
【図６】
2019111327.tif 000009
【図７】
2019111327.tif 000010
【図８】
2019111327.tif 000011
【図９】
2019111327.tif 000012
【図１０】
2019111327.tif 000013
【図１１】
2019111327.tif 000014
【図１２】
2019111327.tif 000015
【図１３】
2019111327.tif 000016
【図１４】
2019111327.tif 000017
【図１５】
2019111327.tif 000018
【図１６】
2019111327.tif 000019
【図１７】
2019111327.tif 000020
【図１８】
2019111327.tif 000021
【図１９】
2019111327.tif 000022
【図２０】
2019111327.tif 000023
【図２１】
2019111327.tif 000024
【図２２】
2019111327.tif 000025
【図２３】
2019111327.tif 000026
【図２４】
2019111327.tif 000027
【図２５】
2019111327.tif 000028